(57)【要約】  無線通信の方法で、通信デバイスが、車両通信ネットワークで伝送される物理層（ＰＨＹ）プロトコルデータユニット（ＰＰＤＵ）を生成するためのダウンクロック比を選択する。通信デバイスは、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして、ＰＰＤＵを生成する。通信デバイスは車両通信ネットワークでＰＰＤＵを伝送する。
2021506202.tif 000002
【特許請求の範囲】
【請求項１】
無線通信の方法であって、
通信デバイスにおいて、車両通信ネットワークで物理層（ＰＨＹ）プロトコルデータユニット（ＰＰＤＵ）が伝送される際に使用される周波数帯域幅を選択する段階であって、前記周波数帯域幅は、１０ＭＨｚ帯域幅および２０ＭＨｚ帯域幅を含む許容される周波数帯域幅のセットから選択される、段階と、
通信デバイスにおいて、前記ＰＰＤＵを生成するための１／２のダウンクロック比を選択する段階と、
通信デバイスにおいて、ｉ）前記１／２のダウンクロック比に従って、かつ、ｉｉ）ＩＥＥＥ８０２．１１ａｃ規格で定義される直交周波数分割多重（ＯＦＤＭ）ヌメロロジに基づいて、前記ＰＰＤＵを生成する段階であって、前記ＰＰＤＵは、選択された前記周波数帯域幅に亘り、かつ、信号フィールドを含むＰＨＹプリアンブルを含むように生成され、
選択された前記周波数帯域幅が１０ＭＨｚであるときに、前記ＰＰＤＵは、前記１／２のダウンクロック比に従って、かつ、２０ＭＨｚ  ＰＰＤＵの前記ＩＥＥＥ８０２．１１ａｃ規格で定義される前記ＯＦＤＭヌメロロジに基づいて生成され、
選択された前記周波数帯域幅が２０ＭＨｚであるときに、前記ＰＰＤＵは、前記１／２のダウンクロック比に従って、かつ、４０ＭＨｚ  ＰＰＤＵの前記ＩＥＥＥ８０２．１１ａｃ規格で定義される前記ＯＦＤＭヌメロロジに基づいて生成される、段階と、
前記通信デバイスにおいて、前記信号フィールドを完全に単一のＯＦＤＭシンボル上に変調する段階と、
前記通信デバイスが前記車両通信ネットワークで前記ＰＰＤＵを伝送する段階と
を備える方法。
【請求項２】
前記周波数帯域幅は、２０ＭＨｚおよび１０ＭＨｚで構成されるセットから選択される、
請求項１に記載の方法。
【請求項３】
前記通信デバイスにおいて、許容されるミッドアンブルの周期性の値のセットからミッドアンブルの周期性の値を選択する段階
を更に備え、
前記ＰＰＤＵを生成する段階は、選択された前記ミッドアンブルの周期性に従って、ＰＨＹデータ部分に１または複数のＰＨＹミッドアンブルを含めるように前記ＰＰＤＵを生成する段階を有し、前記ＰＨＹプリアンブルは、選択された前記ミッドアンブルの周期性の表示を含むように生成される、
請求項１または２に記載の方法。
【請求項４】
前記ＰＰＤＵを生成する段階は、選択された前記周波数帯域幅の表示を更に含むように前記ＰＨＹプリアンブルを生成する段階を有する、請求項３に記載の方法。
【請求項５】
選択された前記ミッドアンブルの周期性の前記表示は、前記ＰＨＹプリアンブルの前記信号フィールドに含まれる、
請求項３または４に記載の方法。
【請求項６】
前記１／２のダウンクロック比に従って前記ＰＰＤＵを生成する段階は、前記ＩＥＥＥ８０２．１１ａｃ規格に対応する第１のＯＦＤＭサブキャリア間隔の半分である第２のＯＦＤＭサブキャリア間隔を含むように前記ＰＰＤＵを生成する段階を有する、
請求項１から５のいずれか一項に記載の方法。
【請求項７】
前記第１のＯＦＤＭサブキャリア間隔は３１２．５ｋＨｚであり、
前記第２のＯＦＤＭサブキャリア間隔は１５６．２５ｋＨｚである、
請求項６に記載の方法。
【請求項８】
前記通信デバイスにおいて、少なくとも４つの許容されるガードインターバル（ＧＩ）持続時間の値のセットからＧＩ持続時間の値を選択する段階
を更に備え、
前記ＰＰＤＵを生成する段階は、
選択された前記ＧＩ持続時間の値に従って前記ＰＰＤＵを生成する段階と、
選択された前記ＧＩ持続時間の値の表示を含むように前記ＰＨＹプリアンブルを生成する段階と
を有する、
請求項１から７のいずれか一項に記載の方法。
【請求項９】
１または複数の集積回路（ＩＣ）デバイスを有するネットワークインタフェースデバイスを備える装置であって、前記ネットワークインタフェースデバイスは、
車両通信ネットワークで物理層（ＰＨＹ）プロトコルデータユニット（ＰＰＤＵ）が伝送される際に使用される周波数帯域幅を選択することであって、前記周波数帯域幅は、１０ＭＨｚ帯域幅および２０ＭＨｚ帯域幅を含む許容される周波数帯域幅のセットから選択される、選択することと、
前記ＰＰＤＵを生成するための１／２のダウンクロック比を選択することと、
ｉ）１／２の前記ダウンクロック比に従って、かつ、ｉｉ）ＩＥＥＥ８０２．１１ａｃ規格で定義される直交周波数分割多重（ＯＦＤＭ）ヌメロロジに基づいて、前記ＰＰＤＵを生成することであって、前記ＰＰＤＵは、選択された前記周波数帯域幅に亘り、かつ、信号フィールドを含むＰＨＹプリアンブルを含むように生成され、
選択された前記周波数帯域幅が１０ＭＨｚであるときに、前記ＰＰＤＵは、前記１／２のダウンクロック比に従って、かつ、２０ＭＨｚ  ＰＰＤＵの前記ＩＥＥＥ８０２．１１ａｃ規格で定義されるＯＦＤＭヌメロロジに基づいて生成され、
選択された前記周波数帯域幅が２０ＭＨｚであるときに、前記ＰＰＤＵは、前記１／２のダウンクロック比に従って、かつ、４０ＭＨｚ  ＰＰＤＵの前記ＩＥＥＥ８０２．１１ａｃ規格で定義されるＯＦＤＭヌメロロジに基づいて生成される、生成することと
を行うように構成され、
前記１または複数のＩＣデバイスは更に、
前記信号フィールドを完全に単一のＯＦＤＭシンボル上に変調し、
前記車両通信ネットワークで前記ＰＰＤＵを伝送する
ように構成される、
装置。
【請求項１０】
前記１または複数のＩＣデバイスは、２０ＭＨｚおよび１０ＭＨｚで構成されるセットから前記周波数帯域幅を選択するように構成される、
請求項９に記載の装置。
【請求項１１】
前記１または複数のＩＣデバイスは更に、
許容されるミッドアンブルの周期性の値のセットからミッドアンブルの周期性の値を選択し、
選択された前記ミッドアンブルの周期性に従って、ＰＨＹデータ部分に１または複数のＰＨＹミッドアンブルを含めるように前記ＰＰＤＵを生成し、
選択された前記ミッドアンブルの周期性の表示を含むように前記ＰＨＹプリアンブルを生成する
ように構成される、請求項９または１０に記載の装置。
【請求項１２】
前記１または複数のＩＣデバイスは更に、選択された前記周波数帯域幅の表示を更に含むように前記ＰＨＹプリアンブルを生成するように構成される、請求項１１に記載の装置。
【請求項１３】
前記１または複数のＩＣデバイスは更に、
前記ＰＨＹプリアンブルの前記信号フィールドに、選択された前記ミッドアンブルの周期性の前記表示を含める
ように構成される、請求項１１または１２に記載の装置。
【請求項１４】
前記１／２のダウンクロック比に従って前記ＰＰＤＵを生成することは、前記ＩＥＥＥ８０２．１１ａｃ規格に対応する第１のＯＦＤＭサブキャリア間隔の半分である第２のＯＦＤＭサブキャリア間隔を含むように前記ＰＰＤＵを生成することを含む、
請求項９から１３のいずれか一項に記載の装置。
【請求項１５】
前記第１のＯＦＤＭサブキャリア間隔は３１２．５ｋＨｚであり、
前記第２のＯＦＤＭサブキャリア間隔は１５６．２５ｋＨｚである、
請求項１４に記載の装置。
【請求項１６】
前記１または複数のＩＣデバイスは更に、
少なくとも４つの許容されるガードインターバル（ＧＩ）持続時間の値のセットからＧＩ持続時間の値を選択し、
選択された前記ＧＩ持続時間の値に従って前記ＰＰＤＵを生成し、
選択された前記ＧＩ持続時間の値の表示を含むように前記ＰＨＹプリアンブルを生成する
ように構成される、請求項９から１５のいずれか一項に記載の装置。
【発明の詳細な説明】
【技術分野】
【０００１】
［関連技術の相互参照］
本願は、２０１７年１２月６日に出願された「Ｅｎｈａｎｃｅｄ  ８０２．１１ｐ  ＰＨＹ  Ｄｅｓｉｇｎ」と題する米国仮特許出願第６２／５９５，４５２号の利益を主張するものであり、この米国仮特許出願が参照によりそのまま本明細書に組み込まれる。
【０００２】
本開示は概して通信ネットワーク、より具体的には物理層プロトコルデータユニットに関する。
【背景技術】
【０００３】
過去１０年間で無線ローカルエリアネットワーク（ＷＬＡＮ）が急速に進化しており、米国電気電子技術者協会（ＩＥＥＥ）８０２．１１規格ファミリなどのＷＬＡＮ規格の開発によって単一ユーザ・ピークデータスループットが改善されている。例えば、ＩＥＥＥ８０２．１１ｂ規格では１１メガビット／秒（Ｍｂｐｓ）の単一ユーザ・ピークスループットが規定され、ＩＥＥＥ８０２．１１ａ規格および８０２．１１ｇ規格では５４Ｍｂｐｓの単一ユーザ・ピークスループットが規定され、ＩＥＥＥ８０２．１１ｎ規格では６００Ｍｂｐｓの単一ユーザ・ピークスループットが規定され、ＩＥＥＥ８０２．１１ａｃ規格ではギガビット／秒（Ｇｂｐｓ）範囲の単一ユーザ・ピークスループットが規定されている。将来の規格では、数十Ｇｂｐｓの範囲のスループットのような更に大きなスループットを提供することが約束されている。
【０００４】
ＩＥＥＥ８０２．１１ｐ規格では車両環境における無線アクセス（ＷＡＶＥ）のプロトコルが規定されている。将来のＷＡＶＥ規格は、車から車、または車からインフラストラクチャへの接続、インフォテインメント機能などの改善を行うことを目的としている。
【発明の概要】
【０００５】
ある実施形態では、無線通信の方法が、通信デバイスにおいて、車両通信ネットワークで伝送される物理層（ＰＨＹ）プロトコルデータユニット（ＰＰＤＵ）を生成するためのダウンクロック比を選択する段階と、通信デバイスにおいて、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして、ＰＰＤＵを生成する段階と、通信デバイスが車両通信ネットワークでＰＰＤＵを伝送する段階とを含む。
【０００６】
別の実施形態では、装置が、１または複数の集積回路（ＩＣ）デバイスを有するネットワークインタフェースデバイスを備える。ネットワークインタフェースデバイスは、車両通信ネットワークで伝送される物理層（ＰＨＹ）プロトコルデータユニット（ＰＰＤＵ）を生成するためのダウンクロック比を選択し、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして、ＰＰＤＵを生成し、車両通信ネットワークでＰＰＤＵを伝送するように構成される。
【図面の簡単な説明】
【０００７】
【図１】ある実施形態に係る例示的な無線ローカルエリアネットワーク（ＷＬＡＮ）のブロック図である。
【０００８】
【図２】ある実施形態に係る例示的な物理層（ＰＨＹ）プロトコルデータユニットの図である。
【０００９】
【図３】別の実施形態に係る別の例示的なＰＨＹプロトコルデータユニットの図である。
【００１０】
【図４】別の実施形態に係る別の例示的なＰＨＹプロトコルデータユニットの図である。
【００１１】
【図５】別の実施形態に係る別の例示的なＰＨＹプロトコルデータユニットの図である。
【００１２】
【図６】別の実施形態に係る別の例示的なＰＨＹプロトコルデータユニットの図である。
【００１３】
【図７】ある実施形態に係る、ＰＨＹプロトコルデータユニットを生成するための例示的なＰＨＹプロセッサのブロック図である。
【００１４】
【図８】ある実施形態に係る、ＰＨＹプロトコルデータユニットの帯域幅およびサブキャリア周波数間隔に対するダウンクロックの影響を示す表である。
【００１５】
【図９Ａ】ある実施形態に係る、ＰＨＹミッドアンブルを有する例示的なＰＨＹプロトコルデータユニットの図である。
【００１６】
【図９Ｂ】ある実施形態に係る、図９ＡのＰＨＹプロトコルデータユニットの例示的なＰＨＹミッドアンブルの図である。
【００１７】
【図１０】ある実施形態に係る、ＰＨＹデータユニットを生成および伝送するための例示的な方法のフロー図である。
【００１８】
【図１１】別の実施形態に係る、ＰＨＹデータユニットを生成および伝送するための別の例示的な方法のフロー図である。
【００１９】
【図１２】別の実施形態に係る、ＰＨＹデータユニットを生成および伝送するための別の例示的な方法のフロー図である。
【発明を実施するための形態】
【００２０】
以下に説明するような物理層（ＰＨＹ）データユニットの生成、伝送、および受信は、米国電気電子技術者協会（ＩＥＥＥ）の８０２．１１規格で定義されるプロトコルと同様のプロトコルを利用する無線ローカルエリアネットワーク（ＷＬＡＮ）の文脈において、単に説明上の目的で説明されている。しかしながら、他の複数の実施形態において、ＰＨＹデータユニットの生成／伝送／受信技術は、パーソナルエリアネットワーク（ＰＡＮ）、セルラネットワークなどのモバイル通信ネットワーク、メトロポリタンエリアネットワーク（ＭＡＮ）、衛星通信ネットワークなどといった他の種類の無線通信システムで利用される。
【００２１】
図１は、ある実施形態に係る例示的なＷＬＡＮ１１０のブロック図である。ＷＬＡＮ１１０は、ネットワークインタフェースデバイス１２２に連結されたホストプロセッサ１１８を備えるアクセスポイント（ＡＰ）１１４を含む。ネットワークインタフェースデバイス１２２は、媒体アクセス制御（ＭＡＣ）プロセッサ１２６およびＰＨＹプロセッサ１３０を含む。ＰＨＹプロセッサ１３０は複数のトランシーバ１３４を含み、これらのトランシーバ１３４は複数のアンテナ１３８に連結される。図１には３つのトランシーバ１３４および３つのアンテナ１３８が示されているが、他の複数の実施形態において、ＡＰ１１４は他の適切な数（例えば１つ、２つ、４つ、５つなど）のトランシーバ１３４およびアンテナ１３８を含む。いくつかの実施形態において、ＡＰ１１４はトランシーバ１３４より多くのアンテナ１３８を含み、アンテナ切り替え技術が利用される。
【００２２】
ネットワークインタフェースデバイス１２２は、後述の通り動作するように構成される１または複数の集積回路（ＩＣ）を使用して実装される。例えば、ＭＡＣプロセッサ１２６は少なくとも部分的に第１のＩＣ上に実装されてよく、ＰＨＹプロセッサ１３０は少なくとも部分的に第２のＩＣ上に実装されてよい。別の例として、ＭＡＣプロセッサ１２６の少なくとも一部およびＰＨＹプロセッサ１３０の少なくとも一部が単一のＩＣ上に実装されてよい。例えば、ネットワークインタフェースデバイス１２２はシステムオンチップ（ＳｏＣ）を使用して実装されてよく、ＳｏＣはＭＡＣプロセッサ１２６の少なくとも一部およびＰＨＹプロセッサ１３０の少なくとも一部を含む。
【００２３】
ある実施形態において、ホストプロセッサ１１８は、ランダムアクセスメモリ（ＲＡＭ）、リードオンリメモリ（ＲＯＭ）、フラッシュメモリなどといったメモリデバイス（不図示）に記憶された機械可読命令を実行するように構成されるプロセッサを含む。ある実施形態において、ホストプロセッサ１１８は少なくとも部分的に第１のＩＣ上に実装されてよく、ネットワークインタフェースデバイス１２２は少なくとも部分的に第２のＩＣ上に実装されてよい。別の例として、ホストプロセッサ１１８とネットワークインタフェースデバイス１２２の少なくとも一部とは単一のＩＣ上に実装されてよい。
【００２４】
様々な実施形態において、ＡＰ１１４のＭＡＣプロセッサ１２６および／またはＰＨＹプロセッサ１３０は、ＩＥＥＥ８０２．１１規格またはＩＥＥＥ８０２．１１規格の将来のバージョンに準拠する通信プロトコルなどのＷＬＡＮ通信プロトコル、または別の適切な無線通信プロトコルに準拠するデータユニットを生成し、係る通信プロトコルに準拠する受信されたデータユニットを処理するように構成される。例えば、ＭＡＣプロセッサ１２６は、ＷＬＡＮ通信プロトコルのＭＡＣ層機能を含むＭＡＣ層機能を実装するように構成されてよく、ＰＨＹプロセッサ１３０は、ＷＬＡＮ通信プロトコルのＰＨＹ機能を含むＰＨＹ機能を実装するように構成されてよい。例えば、ＭＡＣプロセッサ１２６は、ＭＡＣサービスデータユニット（ＭＳＤＵ）、ＭＡＣプロトコルデータユニット（ＭＰＤＵ）などといったＭＡＣ層データユニットを生成し、ＰＨＹプロセッサ１３０にＭＡＣ層データユニットを提供するように構成されてよい。ＰＨＹプロセッサ１３０は、ＭＡＣプロセッサ１２６からＭＡＣ層データユニットを受信し、ＭＡＣ層データユニットをカプセル化して、アンテナ１３８を介した伝送のためのＰＨＹプロトコルデータユニット（ＰＰＤＵ）などのＰＰＤＵを生成するように構成されてよい。少なくともいくつかの実施形態において、ＰＨＹプロトコルデータユニットを生成することは、ＰＨＹプロトコルデータユニットのＰＨＹプリアンブルおよびＰＨＹミッドアンブルを生成することを含む。同様に、ＰＨＹプロセッサ１３０は、アンテナ１３８を介して受信されたＰＰＤＵを受信し、ＰＰＤＵ内にカプセル化されたＭＡＣ層データユニットを抽出するように構成されてよい。少なくともいくつかの実施形態において、ＰＨＹプロセッサ１３０は、ＰＨＹプロトコルデータユニットのＰＨＹプリアンブルおよびＰＨＹミッドアンブルを処理して、同期、自動利得制御（ＡＧＣ）調整、チャネル推定などのうちの１または複数といった機能を実行するように構成される。ＰＨＹプロセッサ１３０は、抽出されたＭＡＣ層データユニットをＭＡＣプロセッサ１２６に提供してよく、ＭＡＣプロセッサ１２６はＭＡＣ層データユニットを処理する。
【００２５】
ある実施形態によれば、ＰＨＹプロセッサ１３０は、１または複数のアンテナ１３８を介して受信された１または複数の無線周波数（ＲＦ）信号を１または複数のベースバンドアナログ信号にダウンコンバートし、アナログベースバンド信号を１または複数のデジタルベースバンド信号に変換するように構成される。ＰＨＹプロセッサ１３０は更に、１または複数のデジタルベースバンド信号を処理して、１または複数のデジタルベースバンド信号を復調し、ＰＰＤＵを生成するように構成される。ＰＨＹプロセッサ１３０は、増幅器（例えば低雑音増幅器（ＬＮＡ）、電力増幅器など）、無線周波数（ＲＦ）ダウンコンバータ、ＲＦアップコンバータ、複数のフィルタ、１または複数のアナログデジタルコンバータ（ＡＤＣ）、１または複数のデジタルアナログコンバータ（ＤＡＣ）、１または複数の離散フーリエ変換（ＤＦＴ）計算機（例えば高速フーリエ変換（ＦＦＴ）計算機）、１または複数の逆離散フーリエ変換（ＩＤＦＴ）計算機（例えば逆高速フーリエ変換（ＩＦＦＴ）計算機）、１または複数の変調器、１または複数の復調器などを含む。
【００２６】
ＰＨＹプロセッサ１３０は、１または複数のアンテナ１３８に提供される１または複数のＲＦ信号を生成するように構成される。ＰＨＹプロセッサ１３０は、１または複数のアンテナ１３８から１または複数のＲＦ信号を受信するようにも構成される。
【００２７】
いくつかの実施形態によれば、ＭＡＣプロセッサ１２６は、例えばＰＨＹプロセッサ１３０に１または複数のＭＡＣ層データユニット（例えばＭＰＤＵ）を提供すること、および、オプションとしてＰＨＹプロセッサ１３０に１または複数の制御信号を提供することにより、１または複数のＲＦ信号を生成するようにＰＨＹプロセッサ１３０を制御するように構成される。ある実施形態において、ＭＡＣプロセッサ１２６は、ＲＡＭ、ＲＯＭ、フラッシュメモリなどといったメモリデバイス（不図示）に記憶された機械可読命令を実行するように構成されるプロセッサを含む。ある実施形態において、ＭＡＣプロセッサ１２６はハードウェアステートマシンを含む。
【００２８】
ＷＬＡＮ１１０は複数のクライアント局１５４を含む。図１には３つのクライアント局１５４が示されているが、様々な実施形態において、ＷＬＡＮ１１０は他の適切な数（例えば１つ、２つ、４つ、５つ、６つなど）のクライアント局１５４を含む。クライアント局１５４−１は、ネットワークインタフェースデバイス１６２に連結されたホストプロセッサ１５８を含む。ネットワークインタフェースデバイス１６２は、ＭＡＣプロセッサ１６６およびＰＨＹプロセッサ１７０を含む。ＰＨＹプロセッサ１７０は複数のトランシーバ１７４を含み、これらのトランシーバ１７４は複数のアンテナ１７８に連結される。図１には３つのトランシーバ１７４および３つのアンテナ１７８が示されているが、他の複数の実施形態において、クライアント局１５４−１は他の適切な数（例えば１つ、２つ、４つ、５つなど）のトランシーバ１７４およびアンテナ１７８を含む。いくつかの実施形態において、クライアント局１５４−１はトランシーバ１７４より多くのアンテナ１７８を含み、アンテナ切り替え技術が利用される。
【００２９】
ネットワークインタフェースデバイス１６２は、後述の通り動作するように構成される１または複数のＩＣを使用して実装される。例えば、ＭＡＣプロセッサ１６６は少なくとも第１のＩＣ上に実装されてよく、ＰＨＹプロセッサ１７０は少なくとも第２のＩＣ上に実装されてよい。別の例として、ＭＡＣプロセッサ１６６の少なくとも一部およびＰＨＹプロセッサ１７０の少なくとも一部が単一のＩＣ上に実装されてよい。例えば、ネットワークインタフェースデバイス１６２はＳｏＣを使用して実装されてよく、ＳｏＣはＭＡＣプロセッサ１６６の少なくとも一部およびＰＨＹプロセッサ１７０の少なくとも一部を含む。
【００３０】
ある実施形態において、ホストプロセッサ１５８は、ＲＡＭ、ＲＯＭ、フラッシュメモリなどといったメモリデバイス（不図示）に記憶された機械可読命令を実行するように構成されるプロセッサを含む。ある実施形態において、ホストプロセッサ１５８は少なくとも部分的に第１のＩＣ上に実装されてよく、ネットワークインタフェースデバイス１６２は少なくとも部分的に第２のＩＣ上に実装されてよい。別の例として、ホストプロセッサ１５８とネットワークインタフェースデバイス１６２の少なくとも一部とは単一のＩＣ上に実装されてよい。
【００３１】
様々な実施形態において、クライアントデバイス１５４−１のＭＡＣプロセッサ１６６およびＰＨＹプロセッサ１７０は、ＷＬＡＮ通信プロトコルまたは別の適切な通信プロトコルに準拠するデータユニットを生成し、係る通信プロトコルに準拠する受信されたデータユニットを処理するように構成される。例えば、ＭＡＣプロセッサ１６６は、ＷＬＡＮ通信プロトコルのＭＡＣ層機能を含むＭＡＣ層機能を実装するように構成されてよく、ＰＨＹプロセッサ１７０は、ＷＬＡＮ通信プロトコルのＰＨＹ機能を含むＰＨＹ機能を実装するように構成されてよい。ＭＡＣプロセッサ１６６は、ＭＳＤＵ、ＭＰＤＵなどといったＭＡＣ層データユニットを生成し、ＰＨＹプロセッサ１７０にＭＡＣ層データユニットを提供するように構成されてよい。ＰＨＹプロセッサ１７０は、ＭＡＣプロセッサ１６６からＭＡＣ層データユニットを受信し、ＭＡＣ層データユニットをカプセル化して、アンテナ１７８を介した伝送のためのＰＰＤＵなどのＰＰＤＵを生成するように構成されてよい。少なくともいくつかの実施形態において、ＰＨＹプロトコルデータユニットを生成することは、ＰＨＹプロトコルデータユニットのＰＨＹプリアンブルおよびＰＨＹミッドアンブルを生成することを含む。同様に、ＰＨＹプロセッサ１７０は、アンテナ１７８を介して受信されたＰＰＤＵを受信し、ＰＰＤＵ内にカプセル化されたＭＡＣ層データユニットを抽出するように構成されてよい。少なくともいくつかの実施形態において、ＰＨＹプロセッサ１７０は、ＰＨＹプロトコルデータユニットのＰＨＹプリアンブルおよびＰＨＹミッドアンブルを処理して、同期、ＡＧＣ調整、チャネル推定などのうちの１または複数といった機能を実行するように構成される。ＰＨＹプロセッサ１７０は、抽出されたＭＡＣ層データユニットをＭＡＣプロセッサ１６６に提供してよく、ＭＡＣプロセッサ１６６はＭＡＣ層データユニットを処理する。
【００３２】
ある実施形態によれば、ＰＨＹプロセッサ１７０は、１または複数のアンテナ１７８を介して受信された１または複数のＲＦ信号を１または複数のベースバンドアナログ信号にダウンコンバートし、アナログベースバンド信号を１または複数のデジタルベースバンド信号に変換するように構成される。ＰＨＹプロセッサ１７０は更に、１または複数のデジタルベースバンド信号を処理して、１または複数のデジタルベースバンド信号を復調し、ＰＰＤＵを生成するように構成される。ＰＨＹプロセッサ１７０は、増幅器（例えばＬＮＡ、電力増幅器など）、ＲＦダウンコンバータ、ＲＦアップコンバータ、複数のフィルタ、１または複数のＡＤＣ、１または複数のＤＡＣ、１または複数のＤＦＴ計算機（例えばＦＦＴ計算機）、１または複数のＩＤＦＴ計算機（例えばＩＦＦＴ計算機）、１または複数の変調器、１または複数の復調器などを含む。
【００３３】
ＰＨＹプロセッサ１７０は、１または複数のアンテナ１７８に提供される１または複数のＲＦ信号を生成するように構成される。ＰＨＹプロセッサ１７０は、１または複数のアンテナ１７８から１または複数のＲＦ信号を受信するようにも構成される。
【００３４】
いくつかの実施形態によれば、ＭＡＣプロセッサ１６６は、例えばＰＨＹプロセッサ１７０に１または複数のＭＡＣ層データユニット（例えばＭＰＤＵ）を提供すること、および、オプションとしてＰＨＹプロセッサ１７０に１または複数の制御信号を提供することにより、１または複数のＲＦ信号を生成するようにＰＨＹプロセッサ１７０を制御するように構成される。ある実施形態において、ＭＡＣプロセッサ１６６は、ＲＡＭ、ＲＯＭ、フラッシュメモリなどといったメモリデバイス（不図示）に記憶された機械可読命令を実行するように構成されるプロセッサを含む。ある実施形態において、ＭＡＣプロセッサ１６６はハードウェアステートマシンを含む。
【００３５】
ある実施形態において、クライアント局１５４−２および１５４−３の各々は、クライアント局１５４−１と同じまたは同様の構造を有する。クライアント局１５４−２および１５４−３の各々は、同じまたは異なる数のトランシーバおよびアンテナを有する。例えば、ある実施形態によれば、クライアント局１５４−２および／またはクライアント局１５４−３はそれぞれ、２つのトランシーバおよび２つのアンテナ（不図示）のみを有する。
【００３６】
本明細書ではＰＰＤＵをパケットと呼ぶことがある。本明細書ではＭＰＤＵをフレームと呼ぶことがある。
【００３７】
ある実施形態において、ＷＬＡＮ１１０は、ＡＰ１１４が車道に最も近い固定位置に配置され、かつ、クライアント局１５４が車道を走行する車両に配置される、車両通信環境に対応する。車両通信環境に対応するいくつかの実施形態では、異なる車両内のクライアント局１５４が互いに直接通信する。係る環境では、家庭またはオフィスのＷＬＡＮ環境と比較してドップラー効果がより顕著である。更に、係る環境では、家庭環境またはオフィス環境と比較してより長い距離の通信が必要になり得る。以下では、典型的な既存の家庭ＷＬＡＮ環境またはオフィスＷＬＡＮ環境と比較してより長い距離を必要とする環境、および／または、当該ＷＬＡＮ環境と比較してドップラー効果がより顕著である環境に有用である例示的なＰＰＤＵの生成／伝送／受信技術について説明する。
【００３８】
図２は、ネットワークインタフェースデバイス１２２（図１）が生成し、かつ、１または複数のクライアント局１５４に伝送するように構成される、ある実施形態に係る例示的なＰＰＤＵ２００の図である。ネットワークインタフェースデバイス１６２（図１）は、ＰＰＤＵ２００と同じまたは同様のＰＰＤＵを生成する／ＡＰ１１４または別のクライアント局１５４に伝送するように構成されてもよい。ある実施形態において、ＰＰＤＵ２００は、ＩＥＥＥ８０２．１１ａ規格で定義されるＰＰＤＵフォーマットと同様のフォーマットを有する。
【００３９】
ＰＰＤＵ２００は、概してパケット検出、初期同期、および自動利得制御（ＡＧＣ）調整に使用されるショートトレーニングフィールド（ＳＴＦ）２０８と、概してチャネル推定および微細同期に使用されるロングトレーニングフィールド（ＬＴＦ）２１２とを有するＰＨＹプリアンブル２０４を含む。ＰＰＤＵ２００は、例えばデータユニット２００の長さの表示、およびＰＰＤＵ２００を生成および伝送するために使用される符号化レートの表示など、データユニット２００に対応するＰＨＹパラメータを含む信号フィールド（ＳＩＧ）２０６も含む。ＰＰＤＵ２００はデータ部分２２０も含む。データ部分２２０は、１または複数のＭＰＤＵ、ＭＳＤＵ、集約ＭＰＤＵ（Ａ−ＭＰＤＵ）などを含む。いくつかのシナリオにおいて、ＰＰＤＵ２００はデータ部分２２０を省略してよい。
【００４０】
ＳＴＦ２０８、ＬＴＦ２１２、ＳＩＧ２１６、およびデータ部分２２０の各々は、１または複数の直交周波数分割多重（ＯＦＤＭ）シンボルを含む。単なる説明のための例として、ＳＩＧ２１６は１つのＯＦＤＭシンボルを含む。
【００４１】
ある実施形態において、ＰＰＤＵ２００は、ＩＥＥＥ８０２．１１ａ規格で定義されるＰＰＤＵフォーマットに関してダウンクロックされる。ある実施形態において、ＰＰＤＵ２００は、２０ＭＨｚ以下の周波数帯域幅に亘る（例えば、ＰＰＤＵの帯域幅は、２０ＭＨｚ、１０ＭＨｚ、および５ＭＨｚを含む帯域幅のセットから選択可能である）。他の複数の実施形態において、ＰＰＤＵ２００の帯域幅は、２０ＭＨｚ、１０ＭＨｚ、および５ＭＨｚ以外の帯域幅（例えば１ＭＨｚ、２ＭＨｚなど）を更にまたは代替的に含む帯域幅のセットから選択可能である。ある実施形態において、ＰＰＤＵ２００は、ＩＥＥＥ８０２．１１ａ規格で定義されるトーン間隔とは異なるＯＦＤＭトーン間隔を採用する。
【００４２】
図３は、ネットワークインタフェースデバイス１２２（図１）が生成し、かつ、１または複数のクライアント局１５４に伝送するように構成される、ある実施形態に係る例示的なＰＰＤＵ３００の図である。ネットワークインタフェースデバイス１６２（図１）は、ＰＰＤＵ３００と同じまたは同様のＰＰＤＵを生成する／ＡＰ１１４または別のクライアント局１５４に伝送するように構成されてもよい。ある実施形態において、ＰＰＤＵ３００は、ＩＥＥＥ８０２．１１ｎ規格で定義されるＰＰＤＵフォーマットと同様である。
【００４３】
ＰＰＤＵ３００は、レガシＳＴＦ（Ｌ−ＳＴＦ）３０８と、レガシＬＴＦ（Ｌ−ＬＴＦ）３１２と、レガシＳＩＧ（Ｌ−ＳＩＧ）３１６と、第１の高スループット（ＨＴ）信号サブフィールド（ＨＴ−ＳＩＧ１）３２０−１および第２のＨＴ信号サブフィールド（ＨＴ−ＳＩＧ２）３２０−２を含むＨＴ信号フィールド（ＨＴ−ＳＩＧ）３２０と、ＨＴショートトレーニングフィールド（ＨＴ−ＳＴＦ）３２４と、Ｎ個のＨＴロングトレーニングフィールド（ＨＴ−ＬＴＦ）３２８とを有するＰＨＹプリアンブル３０４を含む。ここで、Ｎは、概して多入力多出力（ＭＩＭＯ）チャネル構成でＰＰＤＵ３００を伝送するために使用される空間ストリームの数に対応する正の整数である。ある実施形態において、Ｎは概して、ＰＰＤＵ３００が伝送される際に使用される空間ストリームの数に対応する（例えばそれより多いかそれに等しい）。ＨＴ−ＳＩＧ３２０は、例えばＰＰＤＵ３００を生成および伝送するために使用される変調・符号化方式（ＭＣＳ）、空間ストリームの数の表示などといったデータユニット３００に対応するＰＨＹパラメータを含む。ＰＰＤＵ３００はデータ部分３３２も含む。データ部分３３２は、１または複数のＭＰＤＵ、ＭＳＤＵ、集約ＭＰＤＵ（Ａ−ＭＰＤＵ）などを含む。いくつかのシナリオにおいて、ＰＰＤＵ３００はデータ部分３３２を省略してよい。
【００４４】
Ｌ−ＳＴＦ３０８、Ｌ−ＬＴＦ３１２、Ｌ−ＳＩＧ３１６、ＨＴ−ＳＩＧ３２０、ＨＴ−ＳＴＦ３２４、ＨＴ−ＬＴＦ３２８、およびデータ部分３３２の各々は、１または複数のＯＦＤＭシンボルを含む。単なる説明のための例として、ＨＴ−ＳＩＧ１  ３２０−１およびＨＴ−ＳＩＧ２  ３２０−２の各々はそれぞれの単一のＯＦＤＭシンボルを含む。別の例として、各ＨＴ−ＬＴＦ３２８は単一のＯＦＤＭシンボルを含む。
【００４５】
ある実施形態において、ＰＰＤＵ３００は、ＩＥＥＥ８０２．１１ｎ規格で定義されるＰＰＤＵフォーマットに関してダウンクロックされる。ある実施形態において、ＰＰＤＵ３００は、２０ＭＨｚ以下の周波数帯域幅に亘る（例えば、ＰＰＤＵの帯域幅は、２０ＭＨｚ、１０ＭＨｚ、および５ＭＨｚを含む帯域幅のセットから選択可能である）。他の複数の実施形態において、ＰＰＤＵ３００の帯域幅は、２０ＭＨｚ、１０ＭＨｚ、および５ＭＨｚ以外の帯域幅（例えば１ＭＨｚ、２ＭＨｚなど）を更にまたは代替的に含む帯域幅のセットから選択可能である。ある実施形態において、ＰＰＤＵ３００は、ＩＥＥＥ８０２．１１ｎ規格で定義されるトーン間隔とは異なるＯＦＤＭトーン間隔を採用する。
【００４６】
図４は、ネットワークインタフェースデバイス１２２（図１）が生成し、かつ、１または複数のクライアント局１５４に伝送するように構成される、ある実施形態に係る例示的なＰＰＤＵ４００の図である。ネットワークインタフェースデバイス１６２（図１）は、ＰＰＤＵ４００と同じまたは同様のＰＰＤＵをＡＰ１１４または別のクライアント局１５４に伝送するように構成されてもよい。ある実施形態において、ＰＰＤＵ４００は、ＩＥＥＥ８０２．１１ｎ規格で定義されるＰＰＤＵフォーマットと同様である。
【００４７】
ＰＰＤＵ４００は、ＨＴグリーンフィールドショートトレーニングフィールド（ＨＴ−ＧＦ−ＳＴＦ）４０８と、ＨＴ−ＬＴＦ４１２と、ＨＴ−ＳＩＧ１  ４１６−１およびＨＴ−ＳＩＧ２  ４１６−２を含むＨＴ−ＳＩＧ４１６と、Ｎ個の更なるＨＴ−ＬＴＦ４２０とを有するＰＨＹプリアンブル４０４を含む。ここで、Ｎは、概してＭＩＭＯチャネル構成でＰＰＤＵ４００を伝送するために使用される空間ストリームの数に対応する整数である。ＨＴ−ＳＩＧ４１６は、例えばＰＰＤＵ４００を生成および伝送するために使用されるＭＣＳの表示、空間ストリームの数の表示などといったデータユニット４００と関連付けられるＰＨＹパラメータを含む。ＰＰＤＵ４００はデータ部分４２４も含む。データ部分４２４は、１または複数のＭＰＤＵ、ＭＳＤＵ、Ａ−ＭＰＤＵなどを含む。いくつかのシナリオにおいて、ＰＰＤＵ４００はデータ部分４２４を省略してよい。
【００４８】
ＨＴ−ＧＦ−ＳＴＦ４０８、ＨＴ−ＬＴＦ４１２、ＨＴ−ＳＩＧ４１６、ＨＴ−ＬＴＦ４２０、およびデータ部分４２４の各々は、１または複数のＯＦＤＭシンボルを含む。単なる説明のための例として、ＨＴ−ＳＩＧ１  ４１６−１およびＨＴ−ＳＩＧ２  ４１６−２の各々はそれぞれの単一のＯＦＤＭシンボルを含む。別の例として、各ＨＴ−ＬＴＦ４２０は単一のＯＦＤＭシンボルを含む。ある実施形態では、ＩＥＥＥ８０２．１１ｎ規格で定義されるＨＴ−ＳＩＧ１フィールドおよびＨＴ−ＳＩＧ２フィールドでは提供されないＰＰＤＵ４００に関するＰＨＹ情報をシグナリングするために、ＩＥＥＥ８０２．１１ｎ規格と比較してＨＴ−ＳＩＧ４１６の内容が再定義される。
【００４９】
ある実施形態において、ＰＰＤＵ４００は、ＩＥＥＥ８０２．１１ｎ規格で定義されるＰＰＤＵフォーマットに関してダウンクロックされる。ある実施形態において、ＰＰＤＵ４００は、２０ＭＨｚ以下の周波数帯域幅に亘る（例えば、ＰＰＤＵの帯域幅は、２０ＭＨｚ、１０ＭＨｚ、および５ＭＨｚを含む帯域幅のセットから選択可能である）。他の複数の実施形態において、ＰＰＤＵ４００の帯域幅は、２０ＭＨｚ、１０ＭＨｚ、および５ＭＨｚ以外の帯域幅（例えば１ＭＨｚ、２ＭＨｚなど）を更にまたは代替的に含む帯域幅のセットから選択可能である。ある実施形態において、ＰＰＤＵ４００は、ＩＥＥＥ８０２．１１ｎ規格で定義されるトーン間隔とは異なるＯＦＤＭトーン間隔を採用する。
【００５０】
図５は、ネットワークインタフェースデバイス１２２（図１）が生成し、かつ、１または複数のクライアント局１５４に伝送するように構成される、ある実施形態に係る例示的なＰＰＤＵ５００の図である。ネットワークインタフェースデバイス１６２（図１）は、ＰＰＤＵ５００と同じまたは同様のＰＰＤＵをＡＰ１１４または別のクライアント局１５４に伝送するように構成されてもよい。ある実施形態において、ＰＰＤＵ５００は、ＩＥＥＥ８０２．１１ａｃ規格で定義されるＰＰＤＵフォーマットと同様である。
【００５１】
データユニット５００は、Ｌ−ＳＴＦ５０８と、Ｌ−ＬＴＦ５１２と、Ｌ−ＳＩＧ５１６と、ＶＨＴ−ＳＩＧ−Ａ１  ５２０−１およびＶＨＴ−ＳＩＧ−Ａ２  ５２０−２を含む第１の超高スループット（ＶＨＴ）信号フィールド（ＶＨＴ−ＳＩＧ−Ａ）５２０と、ＶＨＴショートトレーニングフィールド（ＶＨＴ−ＳＴＦ）５２４と、Ｎ個のＶＨＴロングトレーニングフィールド（ＶＨＴ−ＬＴＦ）５２８と、第２のＶＨＴ信号フィールド（ＶＨＴ−ＳＩＧ−Ｂ）５３２とを有するＰＨＹプリアンブル５０４を含む。ここで、Ｎは、概してＭＩＭＯチャネル構成でＰＰＤＵ５００を伝送するために使用される空間ストリームの数に対応する整数である。データユニット５００はデータ部分５３６も含む。データ部分５３６は、１または複数のＭＰＤＵ、ＭＳＤＵ、Ａ−ＭＰＤＵなどを含む。いくつかのシナリオにおいて、ＰＰＤＵ５００はデータ部分５３６を省略してよい。
【００５２】
Ｌ−ＳＴＦ５０８、Ｌ−ＬＴＦ５１２、Ｌ−ＳＩＧ５１６、ＶＨＴ−ＳＩＧ−Ａ５２０、ＶＨＴ−ＳＴＦ５２４、Ｎ個のＶＨＴ−ＬＴＦ５２８、ＶＨＴ−ＳＩＧ−Ｂ５３２、およびデータ部分５３６の各々は、１または複数のＯＦＤＭシンボルを含む。単なる説明のための例として、ＶＨＴ−ＳＩＧ−Ａ１  ５２０−２およびＶＨＴ−ＳＩＧ−Ａ２の各々はそれぞれの単一のＯＦＤＭシンボルを含む。別の例として、各ＶＨＴ−ＬＴＦ５２８は単一のＯＦＤＭシンボルを含む。ある実施形態では、ＩＥＥＥ８０２．１１ａｃ規格で定義されるＶＨＴ−ＳＩＧ−Ａフィールドでは提供されないＰＰＤＵ５００に関するＰＨＹ情報をシグナリングするために、ＩＥＥＥ８０２．１１ａｃ規格と比較してＶＨＴ−ＳＩＧ−Ａ５２０の内容が再定義される。ある実施形態では、ＩＥＥＥ８０２．１１ａｃ規格で定義されるＶＨＴ−ＳＩＧ−Ｂフィールドでは提供されないＰＰＤＵ５００に関するＰＨＹ情報をシグナリングするために、ＩＥＥＥ８０２．１１ａｃ規格と比較してＶＨＴ−ＳＩＧ−Ｂ５３２の内容が再定義される。ある実施形態において、ＶＨＴ−ＳＩＧ−Ｂ５３２は省略される。
【００５３】
ある実施形態において、ＰＰＤＵ５００は、ＩＥＥＥ８０２．１１ａｃ規格で定義されるＰＰＤＵフォーマットに関してダウンクロックされる。ある実施形態において、ＰＰＤＵ５００は、２０ＭＨｚ未満の周波数帯域幅に亘る（例えば、ＰＰＤＵの帯域幅は、２０ＭＨｚ、１０ＭＨｚ、および５ＭＨｚを含む帯域幅のセットから選択可能である）。他の複数の実施形態において、ＰＰＤＵ５００の帯域幅は、２０ＭＨｚ、１０ＭＨｚ、および５ＭＨｚ以外の帯域幅（例えば１ＭＨｚ、２ＭＨｚなど）を更にまたは代替的に含む帯域幅のセットから選択可能である。ある実施形態において、ＰＰＤＵ５００は、ＩＥＥＥ８０２．１１ａｃ規格で定義されるトーン間隔とは異なるＯＦＤＭトーン間隔を採用する。
【００５４】
図６は、ネットワークインタフェースデバイス１２２（図１）が生成し、かつ、１または複数のクライアント局１５４に伝送するように構成される、ある実施形態に係る例示的なＰＰＤＵ６００の図である。ネットワークインタフェースデバイス１６２（図１）は、ＰＰＤＵ６００と同じまたは同様のＰＰＤＵをＡＰ１１４または別のクライアント局１５４に伝送するように構成されてもよい。
【００５５】
ＰＰＤＵ６００は、Ｌ−ＳＴＦ６０８と、Ｌ−ＬＴＦ６１２と、Ｌ−ＳＩＧ６１６と、繰り返しＬ−ＳＩＧフィールド（ＲＬ−ＳＩＧ）６２０と、高効率（ＨＥ）信号−Ａフィールド（ＨＥ−ＳＩＧ−Ａ）６２４と、ＨＥ信号−Ｂフィールド（ＨＥ−ＳＩＧ−Ｂ）６２８と、ＨＥショートトレーニングフィールド（ＨＥ−ＳＴＦ）６３２と、Ｎ個のＨＥロングトレーニングフィールド（ＨＥ−ＬＴＦ）６３６とを有するＰＨＹプリアンブル６０４を含む。ここで、Ｎは適切な正の整数である。ある実施形態において、Ｎは概して、ＰＰＤＵ６００が伝送される際に使用される空間ストリームの数に対応する（例えばそれより多いかそれに等しい）。ＰＰＤＵ６００は、ＰＨＹデータ部分６４０およびパケット拡張（ＰＥ）フィールド６４４も含む。ＰＨＹデータ部分６４０は、１または複数のＭＰＤＵ、ＭＳＤＵ、Ａ−ＭＰＤＵなどを含む。いくつかのシナリオにおいて、ＰＰＤＵ６００はＰＨＹデータ部分６４０を省略してよい。いくつかの実施形態において、ＰＰＤＵ６００は、ＰＨＹプリアンブル６０４に対応する１または複数のフィールドを省略してよい。いくつかの実施形態において、ＰＨＹプリアンブル６０４は、図６には示されていない更なるフィールドを含む。ある実施形態において、ＰＰＤＵ６００は、ＩＥＥＥ８０２．１１ａｘ規格の現在の草案（例えばＩＥＥＥ  Ｐ８０２．１１ａｘ（商標）／Ｄ２．２、「Ｄｒａｆｔ  Ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ、Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ、（ＭＡＣ）ａｎｄ  Ｐｈｙｓｉｃａｌ  Ｌａｙｅｒ（ＰＨＹ）Ｓｐｅｃｉｆｉｃａｔｉｏｎｓ、Ａｍｅｎｄｍｅｎｔ  ６：Ｅｎｈａｎｃｅｍｅｎｔｓ  ｆｏｒ  Ｈｉｇｈ  Ｅｆｆｉｃｉｅｎｃｙ  ＷＬＡＮ」、ＩＥＥＥ  Ｃｏｍｐｕｔｅｒ  Ｓｏｃｉｅｔｙ（２０１８年２月）、またはＩＥＥＥ  Ｐ８０２．１１ａｘ（商標）／Ｄ２．２、「Ｄｒａｆｔ  Ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ、Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ、（ＭＡＣ）ａｎｄ  Ｐｈｙｓｉｃａｌ  Ｌａｙｅｒ（ＰＨＹ）Ｓｐｅｃｉｆｉｃａｔｉｏｎｓ、Ａｍｅｎｄｍｅｎｔ  ６：Ｅｎｈａｎｃｅｍｅｎｔｓ  ｆｏｒ  Ｈｉｇｈ  Ｅｆｆｉｃｉｅｎｃｙ  ＷＬＡＮ」、ＩＥＥＥ  Ｃｏｍｐｕｔｅｒ  Ｓｏｃｉｅｔｙ（２０１７年１０月））で定義されるＰＰＤＵフォーマットのダウンクロックバージョンである。
【００５６】
Ｌ−ＳＴＦ６０８、Ｌ−ＬＴＦ６１２、Ｌ−ＳＩＧ６１６、ＲＬ−ＳＩＧ６２０、ＨＥ−ＳＩＧ−Ａ６２４、ＨＥ−ＳＩＧ−Ｂ６２８、ＨＥ−ＳＴＦ６３２、Ｎ個のＨＥ−ＬＴＦ６３６、およびデータ部分６４０の各々は、１または複数のＯＦＤＭシンボルを含む。単なる説明のための例として、ＨＥ−ＳＩＧ−Ａ６２４は２つのＯＦＤＭシンボルを含む。別の例として、各ＨＥ−ＬＴＦ６３６は単一のＯＦＤＭシンボルを含む。ある実施形態では、ＩＥＥＥ８０２．１１ａｘ規格の現在の草案で定義されるＨＥ−ＳＩＧ−Ａフィールドでは提供されないＰＰＤＵ６００に関するＰＨＹ情報をシグナリングするために、ＩＥＥＥ８０２．１１ａｘ規格の現在の草案と比較してＨＥ−ＳＩＧ−Ａ６２４の内容が再定義される。ある実施形態では、ＩＥＥＥ８０２．１１ａｘ規格の現在の草案で定義されるＨＥ−ＳＩＧ−Ｂフィールドでは提供されないＰＰＤＵ６００に関するＰＨＹ情報をシグナリングするために、ＩＥＥＥ８０２．１１ａｘ規格の現在の草案と比較してＨＥ−ＳＩＧ−Ｂ６２８の内容が再定義される。ある実施形態において、ＨＥ−ＳＩＧ−Ｂ６２８は省略される。
【００５７】
ある実施形態において、ＰＰＤＵ６００は、ＩＥＥＥ８０２．１１ａｘ規格の現在の草案で定義されるＰＰＤＵフォーマットに関してダウンクロックされる。ある実施形態において、ＰＰＤＵ６００は、２０ＭＨｚ未満の周波数帯域幅に亘る（例えば、ＰＰＤＵの帯域幅は、２０ＭＨｚ、１０ＭＨｚ、および５ＭＨｚを含む帯域幅のセットから選択可能である）。他の複数の実施形態において、ＰＰＤＵ６００の帯域幅は、２０ＭＨｚ、１０ＭＨｚ、および５ＭＨｚ以外の帯域幅（例えば１ＭＨｚ、２ＭＨｚなど）を更にまたは代替的に含む帯域幅のセットから選択可能である。ある実施形態において、ＰＰＤＵ６００は、ＩＥＥＥ８０２．１１ａｘ規格の現在の草案で定義されるトーン間隔とは異なるＯＦＤＭトーン間隔を採用する。
【００５８】
図７は、ある実施形態に係る、ＰＰＤＵを生成するための例示的なＰＨＹプロセッサ７００を示すブロック図である。ある実施形態において、ＰＨＹプロセッサ７００は、図１との関連で上述したＰＨＹプロセッサ１３０および／またはＰＨＹプロセッサ１７０に対応する。様々な実施形態および／またはシナリオにおいて、ＰＨＹ処理ユニット７００は、例えばＰＰＤＵ２００、３００、４００、５００、および６００のうちの１または複数などのＰＰＤＵを生成する。他の複数の実施形態および／またはシナリオにおいて、ＰＨＹ処理ユニット７００は、ＰＰＤＵ２００、３００、４００、５００、および６００以外の適切なフォーマットを有するＰＰＤＵを生成する。
【００５９】
ＰＨＹ処理ユニット７００は、概して情報ビットストリームをスクランブルして、１または０の長いシーケンスの発生を減らすスクランブラ７０４を含む。ＦＥＣエンコーダ７０８が、スクランブルされた情報ビットを符号化して、符号化されたデータビットを生成する。一実施形態において、ＦＥＣエンコーダ７０８は二進畳み込み符号（ＢＣＣ）エンコーダを含む。別の実施形態において、ＦＥＣエンコーダ７０８は、パンクチャリングブロックが後に続く二進畳み込みエンコーダを含む。更に別の実施形態において、ＦＥＣエンコーダ７０８は低密度パリティチェック（ＬＤＰＣ）エンコーダを含む。
【００６０】
インタリーバ７１２が、符号化されたビットをインタリーブして（すなわちビットの順序を変更して）、隣接するノイズの多いビットの長いシーケンスが受信機のデコーダに入るのを防止する。コンスタレーションマッパ７１６が、インタリーブされたビットのシーケンスを、ＯＦＤＭシンボルの異なるサブキャリアに対応するコンスタレーションポイントにマッピングする。より具体的には、空間ストリームごとに、コンスタレーションマッパ７１６は、長さｌｏｇ２（Ｍ）の全てのビットシーケンスをＭ個のコンスタレーションポイントのうちの１つに変換する。ある実施形態において、コンスタレーションマッパ７１６がオプションとしてデュアルキャリア変調（ＤＣＭ）を更に実装することにより、同じビットシーケンスが、２つの異なるサブキャリアに対応する２つのコンスタレーションポイントにマッピングされる。
【００６１】
時空間ブロック符号化（ＳＴＢＣ）ユニット７２０がＳＴＢＣを適用して、ＮＳＳ個の空間ストリームをＮＳＴＳ個の時空間ストリームにマッピングする。巡回シフトダイバーシティ（ＣＳＤ）ユニット７２４が、空間ストリームのうちの１つを除く全てに巡回シフトを挿入して、意図しないビームフォーミングを防止する。ＣＳＤユニット７２４の出力は、ＮＳＴＳ個の時空間ストリームをＮＴＸ個の伝送チェーンにマッピングする空間マッピングユニット７２８に提供される。逆離散フーリエ変換（ＩＤＦＴ）ユニット７３２が各伝送チェーンで動作し、サブキャリアのブロックに対応するコンスタレーションポイントを、ＯＦＤＭシンボルに対応する時間領域信号に変換する。ガードインターバル（ＧＩ）挿入・ウィンドイングユニット７３６が各ＯＦＤＭシンボルにＯＦＤＭシンボルの循環拡張をプリペンドし、各ＯＦＤＭシンボルのエッジを平滑化してスペクトル減衰を増加させる。アナログ・無線周波数（ＲＦ）ユニット７４０が、ＯＦＤＭシンボルに対応するベースバンド信号をアップコンバートして、通信チャネルを介した伝送のためのＲＦ信号を生成する。
【００６２】
様々な実施形態およびシナリオにおいて、ＰＰＤＵ２００、３００、４００、５００、および６００は２０ＭＨｚの周波数帯域幅を有し、２０ＭＨｚチャネルで伝送される。他の複数の実施形態および／またはシナリオにおいて、ＰＰＤＵ２００、３００、４００、５００、および６００は（上記のように）２０ＭＨｚ未満の周波数帯域幅を有し、２０ＭＨｚより狭いチャネルで伝送される。
【００６３】
様々な実施形態で、複数の異なる数のサブキャリアが所与の周波数帯域幅に使用され、ひいては、これらの異なる実施形態では異なるサブキャリア間隔が採用される。
【００６４】
例えば、ある実施形態において、ＰＰＤＵ３００は、ＩＥＥＥ８０２．１１ｎ規格で使用されているのと同じクロックレートに対応する（すなわち１のダウンクロック比に対応する）３１２．５ｋＨｚのサブキャリア周波数間隔に対応する６４個のサブキャリア（例えばサイズ６４ＦＦＴに対応）を有する２０ＭＨｚチャネルで伝送される。別の実施形態において、ＰＰＤＵ３００は、ＩＥＥＥ８０２．１１ｎ規格で使用されているクロックレートと比較して２倍（２×）のダウンクロック（すなわち１／２のダウンクロック比）に対応する１５６．２５ｋＨｚのサブキャリア周波数間隔に対応する１２８個のサブキャリア（例えばサイズ１２８ＦＦＴに対応）を有する２０ＭＨｚチャネルで伝送される。別の実施形態において、ＰＰＤＵ３００は、ＩＥＥＥ８０２．１１ｎ規格で使用されているクロックレートと比較して４倍（４×）のダウンクロック（すなわち１／４のダウンクロック比）に対応する７８．１２５ｋＨｚのサブキャリア周波数間隔に対応する２５６個のサブキャリア（例えばサイズ２５６ＦＦＴに対応）を有する２０ＭＨｚチャネルで伝送される。
【００６５】
ある実施形態において、ＰＰＤＵ４００は、ＩＥＥＥ８０２．１１ｎ規格で使用されているのと同じクロックレートに対応する（すなわち１のダウンクロック比に対応する）３１２．５ｋＨｚのサブキャリア周波数間隔に対応する６４個のサブキャリア（例えばサイズ６４ＦＦＴに対応）を有する２０ＭＨｚチャネルで伝送される。別の実施形態において、ＰＰＤＵ４００は、ＩＥＥＥ８０２．１１ｎ規格で使用されているクロックレートと比較して２×のダウンクロックに対応する１５６．２５ｋＨｚのサブキャリア周波数間隔に対応する１２８個のサブキャリア（例えばサイズ１２８ＦＦＴに対応）を有する２０ＭＨｚチャネルで伝送される。別の実施形態において、ＰＰＤＵ４００は、ＩＥＥＥ８０２．１１ｎ規格で使用されているクロックレートと比較して４×のダウンクロックに対応する７８．１２５ｋＨｚのサブキャリア周波数間隔に対応する２５６個のサブキャリア（例えばサイズ２５６ＦＦＴに対応）を有する２０ＭＨｚチャネルで伝送される。
【００６６】
ある実施形態において、ＰＰＤＵ５００は、ＩＥＥＥ８０２．１１ａｃ規格で使用されているのと同じクロックレートに対応する（すなわち１のダウンクロック比に対応する）３１２．５ｋＨｚのサブキャリア周波数間隔に対応する６４個のサブキャリア（例えばサイズ６４ＦＦＴに対応）を有する２０ＭＨｚチャネルで伝送される。別の実施形態において、ＰＰＤＵ５００は、ＩＥＥＥ８０２．１１ａｃ規格で使用されているクロックレートと比較して２×のダウンクロックに対応する１５６．２５ｋＨｚのサブキャリア周波数間隔に対応する１２８個のサブキャリア（例えばサイズ１２８ＦＦＴに対応）を有する２０ＭＨｚチャネルで伝送される。別の実施形態において、ＰＰＤＵ５００は、ＩＥＥＥ８０２．１１ａｃ規格で使用されているクロックレートと比較して４×のダウンクロックに対応する７８．１２５ｋＨｚのサブキャリア周波数間隔に対応する２５６個のサブキャリア（例えばサイズ２５６ＦＦＴに対応）を有する２０ＭＨｚチャネルで伝送される。
【００６７】
ある実施形態において、ＰＰＤＵ６００は、草案ＩＥＥＥ８０２．１１ａｘ規格で使用されているのと同じクロックレートに対応する（すなわち１のダウンクロック比に対応する）７８．１２５ｋＨｚのサブキャリア周波数間隔に対応する２５６個のサブキャリア（例えばサイズ２５６ＦＦＴに対応）を有する２０ＭＨｚチャネルで伝送される。
【００６８】
ある実施形態において、ＰＰＤＵ３００は、３１２．５ｋＨｚのサブキャリア周波数間隔に対応する３２個のサブキャリア（例えばサイズ３２ＦＦＴに対応）を有する１０ＭＨｚチャネルで伝送される。ある実施形態において、ＰＰＤＵ３００は、ＩＥＥＥ８０２．１１ｎ規格で使用されているものの２×のクロックレートに対応する１５６．２５ｋＨｚのサブキャリア周波数間隔に対応する６４個のサブキャリア（例えばサイズ６４ＦＦＴに対応）を有する１０ＭＨｚチャネルで伝送される。別の実施形態において、ＰＰＤＵ３００は、ＩＥＥＥ８０２．１１ｎ規格で使用されているクロックレートと比較して４×のダウンクロックに対応する７８．１２５ｋＨｚのサブキャリア周波数間隔に対応する１２８個のサブキャリア（例えばサイズ１２８ＦＦＴに対応）を有する１０ＭＨｚチャネルで伝送される。
【００６９】
ある実施形態において、ＰＰＤＵ４００は、３１２．５ｋＨｚのサブキャリア周波数間隔に対応する３２個のサブキャリア（例えばサイズ３２ＦＦＴに対応）を有する１０ＭＨｚチャネルで伝送される。ある実施形態において、ＰＰＤＵ４００は、ＩＥＥＥ８０２．１１ｎ規格で使用されているものの２×のクロックレートに対応する１５６．２５ｋＨｚのサブキャリア周波数間隔に対応する６４個のサブキャリア（例えばサイズ６４ＦＦＴに対応）を有する１０ＭＨｚチャネルで伝送される。別の実施形態において、ＰＰＤＵ４００は、ＩＥＥＥ８０２．１１ｎ規格で使用されているクロックレートと比較して４×のダウンクロックに対応する７８．１２５ｋＨｚのサブキャリア周波数間隔に対応する１２８個のサブキャリア（例えばサイズ１２８ＦＦＴに対応）を有する１０ＭＨｚチャネルで伝送される。
【００７０】
ある実施形態において、ＰＰＤＵ５００は、３１２．５ｋＨｚのサブキャリア周波数間隔に対応する３２個のサブキャリア（例えばサイズ３２ＦＦＴに対応）を有する１０ＭＨｚチャネルで伝送される。ある実施形態において、ＰＰＤＵ５００は、ＩＥＥＥ８０２．１１ａｃ規格で使用されているものの２×のクロックレートに対応する１５６．２５ｋＨｚのサブキャリア周波数間隔に対応する６４個のサブキャリア（例えばサイズ６４ＦＦＴに対応）を有する１０ＭＨｚチャネルで伝送される。別の実施形態において、ＰＰＤＵ５００は、ＩＥＥＥ８０２．１１ａｃ規格で使用されているクロックレートと比較して４×のダウンクロックに対応する７８．１２５ｋＨｚのサブキャリア周波数間隔に対応する１２８個のサブキャリア（例えばサイズ１２８ＦＦＴに対応）を有する１０ＭＨｚチャネルで伝送される。
【００７１】
ある実施形態において、ＰＰＤＵ６００は、草案ＩＥＥＥ８０２．１１ａｘ規格で使用されているクロックレートと比較して２×のダウンクロックに対応する３０．０６２５ｋＨｚのサブキャリア周波数間隔に対応する２５６個のサブキャリア（例えばサイズ２５６ＦＦＴに対応）を有する１０ＭＨｚチャネルで伝送される。ある実施形態において、ＰＰＤＵ６００は、７８．１２５ｋＨｚのサブキャリア周波数間隔に対応する１２８個のサブキャリア（例えばサイズ１２８ＦＦＴに対応）を有する１０ＭＨｚチャネルで伝送される。
【００７２】
ある実施形態において、ＰＰＤＵ３００は、３１２．５ｋＨｚのサブキャリア周波数間隔に対応する１６個のサブキャリア（例えばサイズ１６ＦＦＴに対応）を有する５ＭＨｚチャネルで伝送される。ある実施形態において、ＰＰＤＵ３００は、ＩＥＥＥ８０２．１１ｎ規格で使用されているものの４×のクロックレートに対応する７８．１２５ｋＨｚのサブキャリア周波数間隔に対応する６４個のサブキャリア（例えばサイズ６４ＦＦＴに対応）を有する５ＭＨｚチャネルで伝送される。
【００７３】
ある実施形態において、ＰＰＤＵ４００は、３１２．５ｋＨｚのサブキャリア周波数間隔に対応する１６個のサブキャリア（例えばサイズ１６ＦＦＴに対応）を有する５ＭＨｚチャネルで伝送される。ある実施形態において、ＰＰＤＵ４００は、ＩＥＥＥ８０２．１１ｎ規格で使用されているものの４×のクロックレートに対応する７８．１２５ｋＨｚのサブキャリア周波数間隔に対応する６４個のサブキャリア（例えばサイズ６４ＦＦＴに対応）を有する５ＭＨｚチャネルで伝送される。
【００７４】
ある実施形態において、ＰＰＤＵ５００は、３１２．５ｋＨｚのサブキャリア周波数間隔に対応する１６個のサブキャリア（例えばサイズ１６ＦＦＴに対応）を有する５ＭＨｚチャネルで伝送される。ある実施形態において、ＰＰＤＵ５００は、ＩＥＥＥ８０２．１１ａｃ規格で使用されているものの４×のクロックレートに対応する７８．１２５ｋＨｚのサブキャリア周波数間隔に対応する６４個のサブキャリア（例えばサイズ６４ＦＦＴに対応）を有する５ＭＨｚチャネルで伝送される。
【００７５】
ある実施形態において、ＰＰＤＵ６００は、草案ＩＥＥＥ８０２．１１ａｘ規格で使用されているクロックレートと比較して４×のダウンクロックに対応する１９．５３１２５ｋＨｚのサブキャリア周波数間隔に対応する２５６個のサブキャリア（例えばサイズ２５６ＦＦＴに対応）を有する５ＭＨｚチャネルで伝送される。ある実施形態において、ＰＰＤＵ６００は、７８．１２５ｋＨｚのサブキャリア周波数間隔に対応する６４個のサブキャリア（例えばサイズ６４ＦＦＴに対応）を有する５ＭＨｚチャネルで伝送される。
【００７６】
いくつかの実施形態において、ネットワークインタフェース１２２は、２０ＭＨｚ、１０ＭＨｚ、および５ＭＨｚの全て、または２０ＭＨｚ、１０ＭＨｚ、および５ＭＨｚのうちの２つのみといった複数の異なる周波数帯域幅でＰＰＤＵを送受信するように構成される。いくつかの実施形態において、ネットワークインタフェース１６２は、２０ＭＨｚ、１０ＭＨｚ、および５ＭＨｚの全て、または２０ＭＨｚ、１０ＭＨｚ、および５ＭＨｚのうちの２つのみといった複数の異なる周波数帯域幅でＰＰＤＵを送受信するように構成される。
【００７７】
いくつかの実施形態において、ネットワークインタフェース１２２は更にまたは代替的に、２ＭＨｚおよび１ＭＨｚの両方、または２ＭＨｚおよび１ＭＨｚのうちの一方のみといった周波数帯域幅でＰＰＤＵを送受信するように構成される。いくつかの実施形態において、ネットワークインタフェース１６２は更にまたは代替的に、２ＭＨｚおよび１ＭＨｚの両方、または２ＭＨｚおよび１ＭＨｚのうちの一方のみといった周波数帯域幅でＰＰＤＵを送受信するように構成される。
【００７８】
ある実施形態では、サブキャリア周波数間隔が狭められた場合を除いて、より高いチャネル帯域幅に対応するＰＰＤＵのフォーマットおよび処理フローと実質的に同様であるフォーマットおよび処理フローを使用して、より低いチャネル帯域幅に対応するＰＰＤＵが生成されてよい。ある実施形態において、これは、より低いチャネル帯域幅に対応するＰＰＤＵのＯＦＤＭシンボルが、より高いチャネル帯域幅に対応するＰＰＤＵの対応するＯＦＤＭシンボルより長いシンボル持続時間を有するように、ダウンクロックを使用することにより実現される。シンボル持続時間を長くすると、サブキャリア周波数間隔を狭めることができるため、伝送に必要なチャネル帯域幅が狭まる。ある実施形態において、ダウンクロックはＰＨＹプロセッサ７００のＩＤＦＴユニット７３２で実現されてよい。
【００７９】
単なる例として、第２のＰＰＤＵのＯＦＤＭシンボルが第１のＰＰＤＵのＯＦＤＭシンボルと比較して１／２だけダウンクロックされる（すなわちＯＦＤＭシンボル持続時間が２倍になる）ことを除いて、４０ＭＨｚチャネルに対応する第１のＰＰＤＵのフォーマットおよび処理フローを使用して、２０ＭＨｚチャネルに対応する第２のＰＰＤＵを生成してよい。第１のＰＰＤＵが１２８個のサブキャリア（すなわち３１２．５ＫＨｚのサブキャリア周波数間隔）を有する４０ＭＨｚチャネルに対応する実施形態では、第１のＰＰＤＵのＯＦＤＭシンボルを２×だけダウンクロックすると、１５６．２５ｋＨｚのサブキャリア周波数間隔を有する２０ＭＨｚチャネルに対応する第２のＰＰＤＵのＯＦＤＭシンボルがもたらされる。様々な実施形態において、２０ＭＨｚ、４０ＭＨｚ、８０ＭＨｚなどのチャネル帯域幅に対応するＰＰＤＵのＯＦＤＭシンボルを適切な比率でダウンクロックして、５ＭＨｚ、１０ＭＨｚ、２０ＭＨｚなどのチャネル帯域幅に対応するＰＰＤＵを生成してよい。図８は、第１のチャネル帯域幅８０４および第１のサブキャリア周波数間隔８０８に対応するＯＦＤＭシンボルを含むＰＰＤＵをダウンクロック比８１２でダウンクロックして、より低い第２のチャネル帯域幅８１６およびより低い第２のサブキャリア周波数間隔８２０に対応するＯＦＤＭシンボルを含むＰＰＤＵを生成できるいくつかのやり方を概説する表８００である。
【００８０】
様々な実施形態において、複数の異なるガードインターバル持続時間を使用して、上記のＰＰＤＵに対応するＯＦＤＭシンボルを生成してよい。ある実施形態では、０．８μｓ、１．６μｓ、２．４μｓ、３．２μｓなどで構成されるセットからガードインターバル持続時間が選択されてよく、選択されたガードインターバル持続時間は、上記のＰＰＤＵに対応する１または複数のＯＦＤＭシンボルを生成するために使用されてよい。ある実施形態では、ＰＰＤＵの信号フィールド（例えばＨＴ−ＳＩＧ３２０／４１６、ＶＨＴ−ＳＩＧ５２０、ＨＥ−ＳＩＧ−Ａ６２４など）内のガードインターバル表示フィールドを使用して、（例えばＰＰＤＵのデータ部分で）１または複数のＯＦＤＭシンボルを生成するために使用される選択されたガードインターバル持続時間を示してよい。
【００８１】
上記のようなＰＰＤＵを伝送するためのパラメータのセットはＯＦＤＭヌメロロジと呼ばれることがある。ＯＦＤＭヌメロロジは、ｉ）チャネル帯域幅、および、ｉｉ）（例えばＦＦＴサイズまたは離散フーリエ変換（ＤＦＴ）サイズに対応する）ＯＦＤＭサブキャリアの数を少なくとも含むパラメータのセットである。ある実施形態において、特定のＯＦＤＭヌメロロジのチャネル帯域幅およびＯＦＤＭサブキャリアの数は、特定のＯＦＤＭサブキャリア間隔を示唆し、ひいては、ＯＦＤＭヌメロロジがＯＦＤＭサブキャリア間隔パラメータを含むものとみなされてもよい。いくつかの実施形態において、通信プロトコルで定義されるＯＦＤＭヌメロロジは、ＰＰＤＵの異なる部分に対して異なる数のＯＦＤＭサブキャリアを含む。例えば、ある実施形態によれば、ＰＨＹデータ部分が第１の数のＯＦＤＭサブキャリアを利用することが通信プロトコルで規定されてよく、一方で、ＰＨＹプリアンブルが第２の数のＯＦＤＭサブキャリアを利用することが通信プロトコルで規定されてよい。
【００８２】
様々な実施形態において、複数の空間ストリームを使用して上記のＰＰＤＵを伝送してよい。ある実施形態では、ＰＰＤＵの信号フィールド（例えばＨＴ−ＳＩＧ３２０／４１６、ＶＨＴ−ＳＩＧ５２０、ＨＥ−ＳＩＧ−Ａ  ６２４など）内の空間ストリームの数（ＮＳＳ）フィールドを使用して、ＰＰＤＵに対応する空間ストリームの数を示してよい。
【００８３】
ネットワークインタフェースデバイス１２２および／またはネットワークインタフェースデバイス１６２などの通信デバイスにより生成されるパケット（例えば上記のＰＰＤＵ）は、受信デバイスが単一パケットの受信中にチャネル推定の更新、同期の調整などを行うことができるように、ＰＨＹプリアンブルおよび１または複数のＰＨＹミッドアンブルの両方を含むことがある。例えば、パケットが相対的に長い場合は、チャネルのノイズが特に多いときのような状況、伝送デバイスと受信デバイスとの間の相対的な動きによってドップラー効果が生じるときのような状況、および／または、環境内の物体の動きによってドップラー効果が生じるときのような状況などにおいて、単一パケットユニットの受信中にチャネル推定および／または同期を２回以上精緻化することが有益であり得る。伝送デバイスがＰＨＹプリアンブルおよび１または複数のＰＨＹミッドアンブルを生成することで、受信デバイスは、伝送デバイスと受信デバイスとの間の通信チャネルの推定、および／または、パケットの受信中の同期の精緻化に応じて、パケットのデータペイロードを復調することができる。
【００８４】
その結果、１または複数のＰＨＹミッドアンブルがパケットのデータ部分に含まれる。例えば、各ＰＨＹミッドアンブルは、ＰＨＹミッドアンブルの始まりおよびＰＨＹミッドアンブルの終わりの両方でペイロードからのデータに隣接している。各ＰＨＹミッドアンブルは、トレーニング情報（校正情報と呼ばれることがある）を含む１または複数のＯＦＤＭシンボルを含み、その少なくとも一部が、チャネルのトレーニングまたは推定の再トレーニング、周波数同期またはキャリア周波数オフセット（ＣＦＯ）調整の精緻化、ビームフォーミングで使用されるステアリング行列または他のパラメータの計算、通信リンク、ＡＧＣ調整などへの適応のうちの１または複数に使用されてよい。本明細書で説明するＰＨＹミッドアンブルの実施形態には、より短い波長を使用する無線システム、および／または、ドップラー効果を体験する通信システムなどにおいて、パケット持続時間がチャネルコヒーレンスの持続時間より長い通信システムに対する特定の適用性があり得る。
【００８５】
図９Ａは、ある実施形態に係る例示的なＰＰＤＵ９００の図である。ある実施形態において、ネットワークインタフェースデバイス１２２（図１）は、ＰＰＤＵ９００を生成および伝送するように構成され、ネットワークインタフェースデバイス１６２（図１）は、ＰＰＤＵ９００を受信および処理するように構成される。いくつかの実施形態において、ネットワークインタフェースデバイス１６２（図１）は、ＰＰＤＵ９００を生成および伝送するように構成され、ネットワークインタフェースデバイス１２２（図１）は、ＰＰＤＵ９００を受信および処理するように構成される。ＰＰＤＵ９００は２０ＭＨｚ帯域幅または別の適切な帯域幅を占有してよい。他の複数の実施形態では、ＰＰＤＵ９００と同様のデータユニットが、例えば１ＭＨｚ、２ＭＨｚ、５ＭＨｚ、１０ＭＨｚなどの他の適切な帯域幅、または他の適切な帯域幅を占有する。
【００８６】
ＰＰＤＵ９００はＰＨＹプリアンブル９０４およびＰＨＹデータ部分９０８を含む。様々な実施形態において、ＰＰＤＵ９００の要素は上記のＰＰＤＵ２００／３００／４００／５００／６００と同様であり、ＰＨＹプリアンブル９０４はＰＨＹプリアンブル２０４／３０４／４０４／５０４／６０４に対応し、データ部分９０８はデータ部分２２０／３３２／４２４／５３６／６４０に対応する。
【００８７】
ＰＨＹデータ部分９０８は、複数のデータ部分９１６に分割された複数のＯＦＤＭデータシンボルを含むデータペイロードを含み、複数のデータ部分９１６の間には、１または複数のＰＨＹミッドアンブル９２０が配置される。本明細書では、２つの連続したＰＨＹミッドアンブル９２０の間のデータ部分９１６内のＯＦＤＭデータシンボルの数をミッドアンブルの周期性ＭＭＡと呼ぶ。ＰＨＹデータ部分９０８の中では、ＭＭＡ個のＯＦＤＭデータシンボルごとにＰＨＹミッドアンブル９２０が挿入される。ある実施形態では、最後のデータ部分９１６−Ｍが、ＭＭＡとは異なるＯＦＤＭシンボルの数Ｌを有してよい。しかしながら、別の実施形態において、ＬはＭＭＡに等しい。ある実施形態では、データ部分９１６の数およびＰＨＹミッドアンブル９２０の数が同一である。別の実施形態では、データ部分９１６の数およびＰＨＹミッドアンブル９２０の数が互いに異なる。例えば、ある実施形態において、ＰＨＹミッドアンブル９２０の数はデータ部分９１６の数より１つ少ない。
【００８８】
ある実施形態において、各ＰＨＹミッドアンブル９２０はＮＬＴＦ個のＬＴＦを含み、ＮＬＴＦは適切な正の整数である。ある実施形態では、ＰＨＹミッドアンブル９２０に含まれるＬＴＦが、ＰＨＹプリアンブル９０４に含まれるＬＴＦと同一である（例えばそれと同じ内容を有する）か、または同様である。例えば、ＰＰＤＵ９００がＰＰＤＵ６００に対応する実施形態において、各ＰＨＹミッドアンブル９２０は、ＨＥ−ＬＴＦ６３６と同一の（例えばそれと同一の方式でフォーマット、符号化、変調などが行われた）フィールドを含む。ＰＰＤＵ９００がＰＰＤＵ５００に対応する別の実施形態において、各ＰＨＹミッドアンブル９２０は、ＶＨＴ−ＬＴＦ５２８と同一の（例えばそれと同一の方式でフォーマット、符号化、変調などが行われた）フィールドを含む。ＰＰＤＵ９００がＰＰＤＵ４００に対応する別の実施形態において、各ＰＨＹミッドアンブル９２０は、ＨＴ−ＬＴＦ４２０と同一の（例えばそれと同一の方式でフォーマット、符号化、変調などが行われた）フィールドを含む。ＰＰＤＵ９００がＰＰＤＵ３００に対応する別の実施形態において、各ＰＨＹミッドアンブル９２０は、ＨＴ−ＬＴＦ３２８と同一の（例えばそれと同一の方式でフォーマット、符号化、変調などが行われた）フィールドを含む。ＰＰＤＵ９００がＰＰＤＵ２００に対応する別の実施形態において、各ＰＨＹミッドアンブル９２０は、ＬＴＦ２１２と同一の（例えばそれと同一の方式でフォーマット、符号化、変調などが行われた）フィールドを含む。しかしながら、別の実施形態において、各ＰＨＹミッドアンブルは、ＰＨＹプリアンブル９０４に含まれるＬＴＦとは異なるＬＴＦを更にまたは代替的に含む。
【００８９】
図９Ｂは、ある実施形態に係る、図９ＡのＰＰＤＵ９００に含まれる例示的なＰＨＹミッドアンブル９５０の図である（例えば、各ＰＨＹミッドアンブル９２０はＰＨＹミッドアンブル９５０を含む）。
【００９０】
ＰＨＹミッドアンブル９５０はＮＬＴＦ個のＬＴＦ９５４から成っており、ＮＬＴＦは適切な正の整数である。ある実施形態において、ＮＬＴＦは概して、ＰＰＤＵ９００が伝送される際に使用される時空間ストリームの数（ＮＳＴＳ）に対応する（例えばそれより多いかそれに等しい）。ある実施形態では、ＰＨＹミッドアンブル９５０内のＬＴＦ９５４の数（ＮＬＴＦ）が、ＰＨＹプリアンブル（すなわちＰＨＹプリアンブル９０４）内のＬＴＦの数に等しい。しかしながら、別の実施形態において、ＰＨＹミッドアンブル９５０内のＬＴＦ９５４の数は、ＰＨＹプリアンブル（すなわちＰＨＹプリアンブル９０４）内のＬＴＦの数とは異なる。ある実施形態において、各ＬＴＦ９５４は単一のＯＦＤＭシンボルに対応する。
【００９１】
他の複数の実施形態において、ＰＨＹミッドアンブル９５０は、ショートトレーニングフィールド、信号フィールド、またはＰＨＹプリアンブルで使用される別の適切なフィールドのうちの１または複数を含む。
【００９２】
いくつかの実施形態では、ＰＰＤＵに対応する通信プロトコル、ＰＰＤＵのフォーマット、ＰＰＤＵの伝送チャネル帯域幅、サブキャリア周波数間隔などといった１または複数のパラメータに基づいて、ＰＰＤＵに対応するＭＭＡが決定される。いくつかの実施形態では、上記パラメータのうちの１または複数の組み合わせごとに、ＭＭＡの１または複数の値で構成される対応するセットが定義される。例えば、ＰＰＤＵの生成および伝送では、ＰＰＤＵの１または複数の上記パラメータに基づいて、ＭＭＡの１または複数の値のセットが決定され、決定されたセットからＭＭＡの特定の値が選択される。図９Ａを参照して上述したように、選択されたＭＭＡは、ＰＰＤＵのデータ部分９０８でＰＨＹミッドアンブル９２０を生成するために使用される。
【００９３】
ある実施形態では、有効なミッドアンブルの周期性の値のセットからＭＭＡの値が選択される。ある実施形態において、このセットは２つの値で構成される。別の実施形態において、このセットは４つの値で構成される。
【００９４】
ある実施形態では、ＭＭＡの１または複数の値のセットが、デフォルトのサブキャリア間隔値に対応して定義され、他のサブキャリア間隔値に対応して、ＭＭＡの対応する１または複数の値を決定するようにスケーリングされる。例えば、ある実施形態では、セット｛１６  ４０  ８０  １６０｝から選択されたＭＭＡを使用して、３１２．５ｋＨｚのデフォルトのサブキャリア周波数間隔に対応するＰＰＤＵが生成され、セット｛８  ２０  ４０  ８０｝から選択されたＭＭＡを使用して、１５６．２５ｋＨｚ（すなわちＮ＝２）のサブキャリア周波数間隔に対応するＰＰＤＵが生成され、セット｛４  １０  ２０  ４０｝から選択されたＭＭＡを使用して、７８．１２５ｋＨｚ（すなわちＮ＝４）のサブキャリア周波数間隔に対応するＰＰＤＵが生成され、セット｛２  ５  １０  ２０｝から選択されたＭＭＡを使用して、３９．０６２５ｋＨｚ（すなわちＮ＝８）のサブキャリア周波数間隔に対応するＰＰＤＵが生成される。
【００９５】
別の実施形態では、ＭＭＡの１または複数の値のそれぞれのセットが、対応するサブキャリア間隔に対して定義される。別の実施形態では、ＭＭＡの１または複数の値のそれぞれのセットが、対応するチャネル周波数帯域幅に対して定義される。
【００９６】
ＰＨＹプリアンブル９０４および／またはＰＨＹミッドアンブル９２０に含まれるＬＴＦがトレーニングシーケンス値で符号化される。ある実施形態において、トレーニングシーケンス値は、ＬＴＦに対応するＯＦＤＭシンボルの複数の異なるサブキャリアで符号化される＋１および−１で構成される事前定義されたシーケンスに対応する。ある実施形態では、ＰＨＹプリアンブル９０４および／またはＰＨＹミッドアンブル９２０に含まれるＬＴＦが、トレーニングシーケンス値を含む異なる数のサブキャリアに対応する異なる圧縮モードをサポートしてよい。例えば、様々な実施形態において、ＬＴＦに対応するＯＦＤＭシンボル内の全てのサブキャリアが０以外のトレーニングシーケンス値を含んでいるわけではない。例えば、いくつかの実施形態では、ｎ番目ごとのサブキャリアのみが０以外の値に設定される一方で、その間にある残りのサブキャリアが０に設定される。これによって、時間領域シーケンスがｎ回繰り返される。ある実施形態では、時間領域シーケンスのインスタンスのうちの１つのみが伝送され、ＬＴＦの時間の１／ｎの圧縮になる。ある実施形態では、ＬＴＦに対応するＯＦＤＭシンボルの４番目ごとのサブキャリアが０以外のトレーニングシーケンス値を含むように構成される（「１×ＬＴＦ圧縮モード」と呼ばれることがある）一方で、その間にある残りのサブキャリアが０に設定され、結果として生じる時間領域シーケンスの１つのインスタンスのみが伝送される。別の実施形態では、ＬＴＦに対応するＯＦＤＭシンボルの２番目ごとのサブキャリアが非トレーニングシーケンス値を含むように構成される（「２×ＬＴＦ圧縮モード」と呼ばれることがある）一方で、その間にある残りのサブキャリアが０に設定され、結果として生じる時間領域シーケンスの１つのインスタンスのみが伝送される。別の実施形態では、ＬＴＦに対応するＯＦＤＭシンボルの全てのサブキャリアが非トレーニングシーケンス値を含むように構成される（「４×ＬＴＦ圧縮モード」と呼ばれることがある）。係る実施形態において、４×ＬＴＦ圧縮モードのＬＴＦ時間は、１×ＬＴＦ圧縮モードのＬＴＦ時間の４倍、２×ＬＴＦ圧縮モードのＬＴＦ時間の２倍であり、２×ＬＴＦ圧縮モードのＬＴＦ時間は、１×ＬＴＦ圧縮モードのＬＴＦ時間の２倍である。
【００９７】
ある実施形態では、対応する異なる圧縮モードを使用して、ＰＨＹプリアンブル９０４に含まれるＬＴＦおよびＰＨＹミッドアンブル９２０に含まれるＬＴＦがフォーマットされる。しかしながら、他の複数の実施形態では、同じ圧縮モードを使用して、ＰＨＹプリアンブル９０４に含まれるＬＴＦおよびＰＨＹミッドアンブル９２０に含まれるＬＴＦがフォーマットされる。
【００９８】
ある実施形態では、複数の異なるジョイントＬＴＦ圧縮／ガードインターバル（ＧＩ）持続時間モードが通信プロトコルで定義される。例えば、いくつかの実施形態では、特定のＧＩ持続時間のみが特定のＬＴＦ圧縮モードで使用され得る。ある実施形態では、ＰＰＤＵ９００のＰＨＹプリアンブル９０４内の信号フィールドが、ＰＰＤＵ９００で使用されるＬＴＦ圧縮／ＧＩ持続時間モードを示すサブフィールド、例えば、当該プリアンブルおよび／またはミッドアンブル９２０内のＬＴＦに使用されるＬＴＦ圧縮と、少なくともＯＦＤＭデータシンボル９１６に関連して使用されるＧＩ持続時間とを示すサブフィールドを含む。
【００９９】
ある実施形態では、ＰＰＤＵ９００のＰＨＹプリアンブル９０４内の信号フィールドが、ＰＨＹミッドアンブル９２０の存在、および／または、ＰＰＤＵ９００に対応するミッドアンブルの周期性ＭＭＡを示す１または複数のフィールドを含む。ＰＨＹプリアンブル９０４がＰＨＹプリアンブル３０４／４０４に対応する実施形態において、ＨＴ−ＳＩＧ３２０／ＨＴ−ＳＩＧ４１６は、ＰＨＹミッドアンブル９２０の存在および／またはミッドアンブルの周期性ＭＭＡを示す１または複数のフィールドを含む。ＰＨＹプリアンブル９０４がＰＨＹプリアンブル５０４に対応する実施形態において、ＶＨＴ−ＳＩＧ−Ａ５２０は、ＰＨＹミッドアンブル９２０の存在および／またはミッドアンブルの周期性ＭＭＡを示す１または複数のフィールドを含む。ＰＨＹプリアンブル９０４がＰＨＹプリアンブル６０４に対応する実施形態において、ＨＥ−ＳＩＧ−Ａ６２４は、ＰＨＹミッドアンブル９２０の存在および／またはミッドアンブルの周期性ＭＭＡを示す１または複数のフィールドを含む。ある実施形態において、ＰＰＤＵ９００がＰＨＹミッドアンブル９２０を強制的に含むように構成される場合は、ＰＨＹミッドアンブル９２０の存在をシグナリングする必要がない。
【０１００】
様々な実施形態において、図２〜図６を参照して上述したＰＰＤＵは、ＰＨＹプリアンブルに、上記の信号フィールド（すなわちＨＴ−ＳＩＧ３２０／４１６、ＶＨＴ−ＳＩＧ５２０、およびＨＥ−ＳＩＧ−Ａ６２４）より小さい（例えばそれより少ない数のビットを含む）信号フィールドを含む。例えば、少なくともいくつかの実施形態では、当該信号フィールド内の情報が、上記のＩＥＥＥ８０２．１１ｎ規格、ＩＥＥＥ８０２．１１ａｃ規格、およびＩＥＥＥ８０２．１１ａｘ規格で定義される信号フィールド（すなわちＨＴ−ＳＩＧ３２０／４１６、ＶＨＴ−ＳＩＧ５２０、およびＨＥ−ＳＩＧ−Ａ６２４）内の情報ほど必要とされない。いくつかの係る実施形態において、ＨＴ−ＳＩＧ３２０／４１６、ＶＨＴ−ＳＩＧ５２０、またはＨＥ−ＳＩＧ−Ａ６２４は、ＧＩ持続時間、ＭＣＳ、ミッドアンブルの周期性ＭＭＡ、ＬＴＦの数、ＬＴＦ圧縮モード、ＬＤＰＣが利用されるかどうか、ＢＣＣが利用されるかどうか、ＤＣＭが利用されるかどうか、ＳＴＢＣが利用されるかどうか、ＰＰＤＵに対応する空間ストリームの数（ＮＳＳ）などといった情報を含むより短い信号（ＳＩＧ）フィールドで置き換えられてよい。ある実施形態において、より短いＳＩＧフィールドは単一のＯＦＤＭシンボルで構成される。他の係る実施形態において、ＨＴ−ＳＩＧ３２０／４１６、ＶＨＴ−ＳＩＧ５２０、またはＨＥ−ＳＩＧ−Ａ６２４は、（ＩＥＥＥ８０２．１１ｎ規格、ＩＥＥＥ８０２．１１ａｃ規格、およびＩＥＥＥ８０２．１１ａｘ規格の現在の草案と比較して、）ＨＴ−ＳＩＧ３２０／４１６、ＶＨＴ−ＳＩＧ５２０、またはＨＥ−ＳＩＧ−Ａ６２４について、ネットワーク１１０（図１）で使用される通信プロトコルでは必要とされない１または複数のサブフィールドを省略するように、および／または、ＩＥＥＥ８０２．１１ｎ規格、ＩＥＥＥ８０２．１１ａｃ規格、またはＩＥＥＥ８０２．１１ａｘ規格の現在の草案では定義されないサブフィールドを含むように修正される。
【０１０１】
いくつかの実施形態において、上記のようなＰＰＤＵは、より大きな伝送モードを提供し、かつ／または、受信機の感度を高める拡張範囲（ＥＲ）モードに従って生成される。例えば、いくつかの実施形態によれば、ＥＲモードは、ｉ）ＤＣＭ、ｉｉ）ビット反復などのうちの１または複数を使用し、かつ／または、１または複数の非ＥＲモードで使用され得る他のＭＣＳと比較して、よりロバストな変調／符号化レートおよびより低いデータレートを提供する１または複数のＭＣＳの使用に制限される。ＥＲモードを提供する実施形態において、ＰＨＹプリアンブル３０４、ＰＨＹプリアンブル４０４、ＰＨＹプリアンブル５０４、ＰＨＹプリアンブル６０４、ＰＨＹプリアンブル９０４などの信号フィールドは、対応するＰＰＤＵに関連してＥＲモードが使用されるかどうかを示すサブフィールドを含む。
【０１０２】
図１０は、ある実施形態に係る、車両通信ネットワークでＰＰＤＵを生成および伝送するための例示的な方法１０００のフロー図である。図１を参照すると、様々な実施形態において、方法１０００は、ネットワークインタフェースデバイス１２２またはネットワークインタフェースデバイス１６２などのネットワークインタフェースデバイスにより実装される。例えば、１つの係る実施形態では、ＰＨＹプロセッサ１３０またはＰＨＹプロセッサ１７０などのＰＨＹプロセッサが、方法１０００の少なくとも一部を実装するように構成される。別の実施形態によれば、ＭＡＣプロセッサ１２６またはＭＡＣプロセッサ１６６などのＭＡＣプロセッサが、方法１０００の一部を実装するようにも構成される。
【０１０３】
ブロック１００４では、ＰＰＤＵの１または複数のＰＨＹパラメータが選択される。
【０１０４】
ある実施形態において、ブロック１００４はダウンクロック比を選択する段階を含む。ある実施形態において、ダウンクロック比は、ＰＰＤＵの選択された周波数帯域幅に基づいて選択される。ある実施形態において、ダウンクロック比は、１、１／２、および１／４で構成されるセットから選択される。ある実施形態において、ダウンクロック比１は２０ＭＨｚ帯域幅に対応し、ダウンクロック比１／２は１０ＭＨｚ帯域幅に対応し、ダウンクロック比１／４は５ＭＨｚ帯域幅に対応する。別の実施形態において、ダウンクロック比１、１／２、および／または１／４は他の適切な帯域幅に対応する。別の実施形態において、ダウンクロック比は、１、１／２、または１／４以外の、１／５、１／１０、１／２０などといったダウンクロック比を更にまたは代替的に含むセットから選択される。
【０１０５】
ある実施形態において、ブロック１００４は、通信プロトコルで定義される周波数帯域幅のセットからＰＰＤＵの周波数帯域幅を選択する段階を含む。ある実施形態において、周波数帯域幅のセットは少なくとも２つの周波数帯域幅を含む。別の実施形態において、周波数帯域幅のセットは少なくとも３つの周波数帯域幅を含む。ある実施形態において、周波数帯域幅のセットは少なくとも２０ＭＨｚおよび１０ＭＨｚを含む。ある実施形態において、周波数帯域幅のセットは少なくとも２０ＭＨｚ、１０ＭＨｚ、および５ＭＨｚを含む。ある実施形態において、周波数帯域幅のセットは少なくとも１０ＭＨｚおよび５ＭＨｚを含む。ある実施形態において、周波数帯域幅のセットは少なくとも５ＭＨｚおよび２ＭＨｚを含む。ある実施形態において、周波数帯域幅のセットは少なくとも５ＭＨｚおよび１ＭＨｚを含む。他の複数の実施形態において、周波数帯域幅のセットは、２０ＭＨｚ、１０ＭＨｚ、５ＭＨｚ、２ＭＨｚ、および１ＭＨｚ以外の１または複数の適切な周波数帯域幅を更にまたは代替的に含む。
【０１０６】
ある実施形態では、通信プロトコルで定義される周波数帯域幅のセット内の周波数帯域幅の全てが同じＯＦＤＭサブキャリア間隔に対応する。ある実施形態において、ＯＦＤＭサブキャリア間隔は３１２．５ｋＨｚである。別の実施形態において、ＯＦＤＭサブキャリア間隔は１５６．２５ｋＨｚである。別の実施形態において、ＯＦＤＭサブキャリア間隔は７８．１２５ｋＨｚである。別の実施形態において、ＯＦＤＭサブキャリア間隔は３９．０６２５ｋＨｚである。別の実施形態において、ＯＦＤＭサブキャリア間隔は、３１２．５ｋＨｚ、１５６．２５ｋＨｚ、７８．１２５ｋＨｚ、および３９．０６２５ｋＨｚ以外の適切なＯＦＤＭサブキャリア間隔である。
【０１０７】
ある実施形態では、通信プロトコルで定義される周波数帯域幅のセット内の周波数帯域幅のうちの少なくとも２つが第１のＯＦＤＭサブキャリア間隔に対応するが、周波数帯域幅のセット内の周波数帯域幅のうちの少なくとも１つが第２のＯＦＤＭサブキャリア間隔に対応する。ある実施形態において、第２のＯＦＤＭサブキャリア間隔は、１／Ｎに第１のＯＦＤＭサブキャリア間隔を乗じたものであり、Ｎは１００未満の適切な正の整数である。ある実施形態において、Ｎは１００未満の正の偶数である。ある実施形態において、Ｎは２である。別の実施形態において、Ｎは４である。別の実施形態において、Ｎは８である。別の実施形態において、Ｎは１６である。ある実施形態において、第１のＯＦＤＭサブキャリア間隔は３１２．５ｋＨｚであり、第２のＯＦＤＭサブキャリア間隔は１５６．２５ｋＨｚである。別の実施形態において、第１のＯＦＤＭサブキャリア間隔は１５６．２５ｋＨｚであり、第２のＯＦＤＭサブキャリア間隔は７８．１２５ｋＨｚである。別の実施形態において、第１のＯＦＤＭサブキャリア間隔は７８．１２５ｋＨｚであり、第２のＯＦＤＭサブキャリア間隔は３９．０６２５ｋＨｚである。別の実施形態において、第１のＯＦＤＭサブキャリア間隔および第２のＯＦＤＭサブキャリア間隔は、３１２．５ｋＨｚ、１５６．２５ｋＨｚ、７８．１２５ｋＨｚ、および３９．０６２５ｋＨｚ以外の適切なＯＦＤＭサブキャリア間隔である。
【０１０８】
ある実施形態では、通信プロトコルで定義される周波数帯域幅のセット内の周波数帯域幅のうちの少なくとも３つが、第１のＯＦＤＭサブキャリア間隔、第２のＯＦＤＭサブキャリア間隔、および第３のＯＦＤＭサブキャリア間隔という異なるサブキャリア間隔に対応する。ある実施形態において、第２のＯＦＤＭサブキャリア間隔は、１／Ｎに第１のＯＦＤＭサブキャリア間隔を乗じたものであり、第３のＯＦＤＭサブキャリア間隔は、１／Ｎに第２のＯＦＤＭサブキャリア間隔を乗じたものであり、Ｎは１００未満の適切な正の整数である。ある実施形態において、Ｎは１００未満の正の偶数である。ある実施形態において、Ｎは２である。別の実施形態において、Ｎは４である。別の実施形態において、Ｎは８である。別の実施形態において、Ｎは１６である。ある実施形態において、第１のＯＦＤＭサブキャリア間隔は３１２．５ｋＨｚであり、第２のＯＦＤＭサブキャリア間隔は１５６．２５ｋＨｚであり、第３のＯＦＤＭサブキャリア間隔は７８．１２５ｋＨｚである。別の実施形態において、第１のＯＦＤＭサブキャリア間隔は１５６．２５ｋＨｚであり、第２のＯＦＤＭサブキャリア間隔は７８．１２５ｋＨｚであり、第３のＯＦＤＭサブキャリア間隔は３９．０６２５ｋＨｚである。別の実施形態において、第１のＯＦＤＭサブキャリア間隔および第２のＯＦＤＭサブキャリア間隔は、３１２．５ｋＨｚ、１５６．２５ｋＨｚ、７８．１２５ｋＨｚ、および３９．０６２５ｋＨｚ以外の適切なＯＦＤＭサブキャリア間隔である。
【０１０９】
ある実施形態において、ブロック１００４は、通信プロトコルで定義されるガードインターバル（ＧＩ）持続時間のセットからＰＰＤＵのＧＩ持続時間を選択する段階を含む。ある実施形態において、ＧＩ持続時間のセットは少なくとも４つのＧＩ持続時間を含む。ある実施形態において、ＧＩ持続時間のセットは｛０．８μｓ、１．６μｓ、２．４μｓ、３．２μｓ｝である。別の実施形態において、周波数帯域幅のセットは少なくとも０．８μｓ、１．６μｓ、２．４μｓ、および３．２μｓを含む。別の実施形態において、周波数帯域幅のセットは少なくとも３つのＧＩ持続時間を含む。他の複数の実施形態において、ＧＩ持続時間のセットは、０．８μｓ、１．６μｓ、２．４μｓ、および３．２μｓ以外の１または複数の適切な周波数ＧＩ持続時間を更にまたは代替的に含む。いくつかの実施形態では、単一のＧＩ持続時間のみが通信プロトコルで定義され、ブロック１００４は、ＰＰＤＵのＧＩ持続時間を選択する段階を含まない。
【０１１０】
いくつかの実施形態において、ＰＰＤＵは、ＬＴＦまたは他の適切なトレーニングフィールドなどの１または複数のトレーニングフィールドを有するＰＨＹプリアンブルを含み、上記のようなトレーニングフィールドの圧縮モードのセットが通信プロトコルで規定される。ある実施形態において、ブロック１００４は、通信プロトコルで定義されるトレーニングフィールド圧縮モードのセットからＰＰＤＵ内のトレーニングフィールドの圧縮モードを選択する段階を含む。いくつかの実施形態では、複数のトレーニングフィールド圧縮モードが通信プロトコルで定義されず、ブロック１００４は、ＰＰＤＵのトレーニングフィールド圧縮モードを選択する段階を含まない。
【０１１１】
ある実施形態では、ＧＩ持続時間、トレーニングフィールド圧縮モードタプルのセットが通信プロトコルで定義され、ブロック１００４は、通信プロトコルで定義されるＧＩ持続時間、トレーニングフィールド圧縮モードタプルのセットからＰＰＤＵのＧＩ持続時間、トレーニングフィールド圧縮モードタプルを選択する段階を含む。いくつかの実施形態では、複数のＧＩ持続時間、トレーニングフィールド圧縮モードタプルが通信プロトコルで定義されず、ブロック１００４は、ＰＰＤＵのＧＩ持続時間、トレーニングフィールド圧縮モードタプルを選択する段階を含まない。
【０１１２】
ある実施形態において、ブロック１００４は、ＰＰＤＵに１または複数のＰＨＹミッドアンブルが含まれるべきであると決定する段階を含む。複数の異なるＯＦＤＭサブキャリア間隔が通信プロトコルで許容される（例えば異なる周波数帯域幅が異なるＯＦＤＭサブキャリア間隔に対応する）実施形態において、ブロック１００４は、選択された周波数帯域幅に基づいて、許容されるミッドアンブルの周期性の値の複数のセットの中から、許容されるミッドアンブルの周期性の値のセットを選択する段階も含む。例えば、ある実施形態では、許容されるミッドアンブルの周期性の値の異なるセットが、異なるＯＦＤＭサブキャリア間隔に対応する。ある実施形態において、ブロック１００４は、選択された許容されるミッドアンブルの周期性の値のセットからミッドアンブルの周期性の値を選択する段階を含む。いくつかの実施形態では、許容されるミッドアンブルの周期性の値の単一のセットのみが通信プロトコルで定義され、ブロック１００４は、許容されるミッドアンブルの周期性の値のセットを選択しない。いくつかの実施形態では、全てのＰＰＤＵに１または複数のＰＨＹミッドアンブルが必要であることを通信プロトコルが要求し、ブロック１００４は、ＰＰＤＵに１または複数のＰＨＹミッドアンブルが含まれるべきかどうかを決定する段階を含まない。いくつかの実施形態では、ＰＨＹミッドアンブルが通信プロトコルで許容されず、ブロック１００４は、ＰＰＤＵに１または複数のＰＨＹミッドアンブルが含まれるべきかどうかを決定する段階を含まない。
【０１１３】
ある実施形態において、各ＰＨＹミッドアンブルは１または複数のＬＴＦを含む。ある実施形態において、ブロック１００４は、ＰＨＹプリアンブル内のＬＴＦのＬＴＦ圧縮モードを選択する段階とは別個に、１または複数のミッドアンブル内のＬＴＦのＬＴＦ圧縮モードを選択する段階を含む。別の実施形態において、１または複数のミッドアンブルのＬＴＦ圧縮モードは、ＰＨＹプリアンブル内のＬＴＦのＬＴＦ圧縮モードと同じでなければならず、ブロック１００４は、ＰＨＹプリアンブル内のＬＴＦのＬＴＦ圧縮モードを選択する段階とは別個に、１または複数のミッドアンブル内のＬＴＦのＬＴＦ圧縮モードを選択する段階を含まない。
【０１１４】
ある実施形態において、ブロック１００４は、ＰＰＤＵを伝送するための空間ストリームの数を決定する段階を含む。別の実施形態では、単一の空間ストリームを使用した伝送のみが通信プロトコルで許容され、ブロック１００４は、ＰＰＤＵを伝送するための空間ストリームの数を決定する段階を含まない。
【０１１５】
ある実施形態において、ブロック１００４は、ＰＰＤＵにＳＴＢＣを使用するかどうかを決定する段階を含む。別の実施形態では、ＳＴＢＣの使用が通信プロトコルで許容されず、ブロック１００４は、ＰＰＤＵにＳＴＢＣを使用するかどうかを決定する段階を含まない。別の実施形態では、全てのＰＰＤＵにＳＴＢＣを使用することを通信プロトコルが要求し、ブロック１００４は、ＰＰＤＵにＳＴＢＣを使用するかどうかを決定する段階を含まない。
【０１１６】
ある実施形態において、ブロック１００４は、ＰＰＤＵにＤＣＭを使用するかどうかを決定する段階を含む。別の実施形態では、ＤＣＭの使用が通信プロトコルで許容されず、ブロック１００４は、ＰＰＤＵにＤＣＭを使用するかどうかを決定する段階を含まない。別の実施形態では、全てのＰＰＤＵにＤＣＭを使用することを通信プロトコルが要求し、ブロック１００４は、ＰＰＤＵにＤＣＭを使用するかどうかを決定する段階を含まない。
【０１１７】
ある実施形態において、ブロック１００４は、ＰＰＤＵに拡張範囲モードを使用するかどうかを決定する段階を含む。別の実施形態では、拡張範囲モードが通信プロトコルで定義されず、ブロック１００４は、ＰＰＤＵに拡張範囲モードを使用するかどうかを決定する段階を含まない。
【０１１８】
ある実施形態において、ブロック１００４は、ＰＰＤＵにＬＤＰＣを使用するかどうかを決定する段階を含む。別の実施形態では、ＬＤＰＣの使用が通信プロトコルで許容されず、ブロック１００４は、ＰＰＤＵにＬＤＰＣを使用するかどうかを決定する段階を含まない。別の実施形態では、全てのＰＰＤＵにＬＤＰＣを使用することを通信プロトコルが要求し、ブロック１００４は、ＰＰＤＵにＬＤＰＣを使用するかどうかを決定する段階を含まない。
【０１１９】
ブロック１００８では、ブロック１００４で決定および／または選択された１または複数のＰＨＹパラメータに従ってＰＰＤＵが生成される。ある実施形態において、ブロック１００８は、ｉ）ブロック１００４で選択されたダウンクロック比に従って、かつ、ｉｉ）ＩＥＥＥ８０２．１１ｎ規格で定義されるＰＰＤＵフォーマットのダウンクロックバージョンとして、ＰＰＤＵを生成する段階を含む。ある実施形態において、ＩＥＥＥ８０２．１１ｎ規格で定義されるＰＰＤＵフォーマットのダウンクロックバージョンとしてＰＰＤＵを生成する段階は、ＩＥＥＥ８０２．１１ｎ規格で定義される信号フィールドと比較して、１または複数の修正された信号フィールドを有するＰＨＹプリアンブルを含むようにＰＰＤＵを生成する段階を含む。
【０１２０】
別の実施形態において、ブロック１００８は、ｉ）ブロック１００４で選択されたダウンクロック比に従って、かつ、ｉｉ）ＩＥＥＥ８０２．１１ａｃ規格で定義されるＰＰＤＵフォーマットのダウンクロックバージョンとして、ＰＰＤＵを生成する段階を含む。ある実施形態において、ＩＥＥＥ８０２．１１ａｃ規格で定義されるＰＰＤＵフォーマットのダウンクロックバージョンとしてＰＰＤＵを生成する段階は、ＩＥＥＥ８０２．１１ａｃ規格で定義される信号フィールドと比較して、１または複数の修正された信号フィールドを有するＰＨＹプリアンブルを含むようにＰＰＤＵを生成する段階を含む。
【０１２１】
ある実施形態において、ブロック１００８は、ｉ）ブロック１００４で選択されたダウンクロック比に従って、かつ、ｉｉ）ＩＥＥＥ８０２．１１ａｘ規格の現在の草案で定義されるＰＰＤＵフォーマットのダウンクロックバージョンとして、ＰＰＤＵを生成する段階を含む。ある実施形態において、ＩＥＥＥ８０２．１１ａｘ規格の現在の草案で定義されるＰＰＤＵフォーマットのダウンクロックバージョンとしてＰＰＤＵを生成する段階は、ＩＥＥＥ８０２．１１ａｘ規格の現在の草案で定義される信号フィールドと比較して、１または複数の修正された信号フィールドを有するＰＨＹプリアンブルを含むようにＰＰＤＵを生成する段階を含む。
【０１２２】
ある実施形態において、ブロック１００８は、ＰＨＹプリアンブルを含むようにＰＰＤＵを生成する段階を含み、ＰＨＹプリアンブルは、ブロック１００４で決定および／または選択された１または複数のＰＨＹパラメータのうちの少なくともいくつかを示す。ある実施形態において、ブロック１００８は、ブロック１００４で決定および／または選択された１または複数のＰＨＹパラメータの全てを示すようにＰＨＹプリアンブルを生成する段階を含む。ある実施形態において、ＰＨＹプリアンブルを生成する段階は、ＰＨＹプリアンブルの信号フィールドを生成する段階を含み、信号フィールドは、ブロック１００４で決定および／または選択された１または複数のＰＨＹパラメータのうちの少なくともいくつかを示すように生成される。ある実施形態において、ブロック１００８は、ブロック１００４で決定および／または選択された１または複数のＰＨＹパラメータの全てを示すようにＰＨＹプリアンブルの信号フィールドを生成する段階を含む。ある実施形態において、信号フィールドは、ｉ）ＰＨＹプリアンブル内のトレーニングフィールド、および、ｉｉ）ＰＨＹプリアンブル内の別のトレーニングフィールド、またはＰＰＤＵのＰＨＹデータ部分のすぐ隣にある単一の隣接フィールドであり、信号フィールド全体が単一のＯＦＤＭシンボル上に変調される。
【０１２３】
ブロック１０１２では、ＰＰＤＵが車両通信ネットワークで伝送される。
【０１２４】
図１１は、ある実施形態に係る、車両通信ネットワークでＰＰＤＵを生成および伝送するための別の例示的な方法１１００のフロー図である。図１を参照すると、様々な実施形態において、方法１１００は、ネットワークインタフェースデバイス１２２またはネットワークインタフェースデバイス１６２などのネットワークインタフェースデバイスにより実装される。例えば、１つの係る実施形態では、ＰＨＹプロセッサ１３０またはＰＨＹプロセッサ１７０などのＰＨＹプロセッサが、方法１１００の少なくとも一部を実装するように構成される。別の実施形態によれば、ＭＡＣプロセッサ１２６またはＭＡＣプロセッサ１６６などのＭＡＣプロセッサが、方法１１００の一部を実装するようにも構成される。
【０１２５】
方法１１００は、図１０の方法１０００のより具体的な実施形態である。いくつかの実施形態において、方法１１００は、図１０の方法１０００の１または複数の態様と組み合わされる。
【０１２６】
ブロック１１０４では、車両通信ネットワークでＰＰＤＵが伝送される際に使用される周波数帯域幅が選択される。ある実施形態において、周波数帯域幅は、許容される周波数帯域幅のセットから選択される。
【０１２７】
ブロック１１０８では、ブロック１１０４で選択された周波数帯域幅に基づいて、許容されるミッドアンブルの周期性の値の複数のセットの中から、許容されるミッドアンブルの周期性の値のセットが選択される。
【０１２８】
ブロック１１１２では、ブロック１１０８で選択された許容されるミッドアンブルの周期性の値のセットからミッドアンブルの周期性の値が選択される。
【０１２９】
ある実施形態において、許容される周波数帯域幅のセットは第１の周波数帯域幅および第２の周波数帯域幅を含み、第１の周波数帯域幅は第１のＯＦＤＭサブキャリア間隔に対応し、第２の周波数帯域幅は、第１のＯＦＤＭサブキャリア間隔とは異なる第２のＯＦＤＭサブキャリア間隔に対応し、許容されるミッドアンブルの周期性の値の複数のセットは、第１のＯＦＤＭサブキャリア間隔に対応する許容されるミッドアンブルの周期性の値の第１のセットと、第２のＯＦＤＭサブキャリア間隔に対応する許容されるミッドアンブルの周期性の値の第２のセットとを含み、許容されるミッドアンブルの周期性の値の第１のセットは、許容されるミッドアンブルの周期性の値の第２のセットとは異なる。
【０１３０】
ある実施形態において、第２のＯＦＤＭサブキャリア間隔は第１のＯＦＤＭサブキャリア間隔の１／Ｎであり、Ｎは正の整数であり、許容されるミッドアンブルの周期性の値の第２のセット内のそれぞれの値は、１／Ｎに、許容されるミッドアンブルの周期性の値の第１のセット内のそれぞれの値を乗じたものである。
【０１３１】
ある実施形態において、第１の周波数帯域幅は２０ＭＨｚであり、第２の周波数帯域幅は１０ＭＨｚであり、Ｎは２である。
【０１３２】
別の実施形態において、第１の周波数帯域幅は１０ＭＨｚであり、第２の周波数帯域幅は５ＭＨｚであり、Ｎは２である。
【０１３３】
ある実施形態において、第１のＯＦＤＭサブキャリア間隔は７８．１２５ｋＨｚであり、第２のＯＦＤＭサブキャリア間隔は３９．０６２５ｋＨｚである。
【０１３４】
別の実施形態において、第１のＯＦＤＭサブキャリア間隔は１５６．２５ｋＨｚであり、第２のＯＦＤＭサブキャリア間隔は７８．１２５ｋＨｚである。
【０１３５】
ある実施形態において、許容される周波数帯域幅のセットは第３の周波数帯域幅を更に含み、第３の周波数帯域幅は、第１のＯＦＤＭサブキャリア間隔および第２のＯＦＤＭサブキャリア間隔とは異なる第３のＯＦＤＭサブキャリア間隔に対応し、許容されるミッドアンブルの周期性の値の複数のセットは、第３のＯＦＤＭサブキャリア間隔に対応する許容されるミッドアンブルの周期性の値の第３のセットを更に含み、許容されるミッドアンブルの周期性の値の第３のセットは、許容されるミッドアンブルの周期性の値の第１のセットおよび許容されるミッドアンブルの周期性の値の第２のセットとは異なる。ある実施形態において、第１の周波数帯域幅は２０ＭＨｚであり、第２の周波数帯域幅は１０ＭＨｚであり、第３の周波数帯域幅は５ＭＨｚである。
【０１３６】
ある実施形態において、許容される周波数帯域幅のセットは、第１の周波数帯域幅、第２の周波数帯域幅、および第３の周波数帯域幅を含む。
【０１３７】
ブロック１１１６では、選択されたミッドアンブルの周期性に従って、ｉ）ＰＨＹプリアンブルと、ｉｉ）１または複数のＰＨＹミッドアンブルを含むＰＨＹデータ部分とを含むようにＰＰＤＵが生成される。ブロック１１１６は、選択されたミッドアンブルの周期性の表示を含むようにＰＨＹプリアンブルを生成する段階と、ＰＰＤＵを、選択された周波数帯域幅に亘るように生成する段階とを含む。
【０１３８】
ブロック１１２０では、ＰＰＤＵが車両通信ネットワークで伝送される。
【０１３９】
他の複数の実施形態において、方法１１００は、ブロック１１０４で選択された帯域幅に基づいてダウンクロック比を選択する段階を更に含み、ブロック１１１６は、ｉ）ダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格の現在の草案のうちの１つで定義されるＰＰＤＵフォーマットのダウンクロックバージョンとして、ＰＰＤＵを生成する段階を含む。
【０１４０】
他の複数の実施形態において、方法１１００は、少なくとも４つの許容されるＧＩ持続時間の値のセットからＧＩ持続時間の値を選択する段階を更に含み、ブロック１１１６は、選択されたＧＩ持続時間の値に従ってＰＰＤＵを生成する段階と、選択されたＧＩ持続時間の値の表示を含むようにＰＨＹプリアンブルを生成する段階とを含む。
【０１４１】
ある実施形態において、ブロック１１１６は、ブロック１１１２で選択されたＰＨＹミッドアンブルの周期性を示すようにＰＨＹプリアンブルを生成する段階を含む。ある実施形態において、ＰＨＹプリアンブルを生成する段階は、ＰＨＹプリアンブルの信号フィールドを生成する段階を含み、信号フィールドは、ブロック１１１２で選択されたＰＨＹミッドアンブルの周期性を示すように生成される。ある実施形態において、信号フィールドは、ｉ）ＰＨＹプリアンブル内のトレーニングフィールド、および、ｉｉ）ＰＨＹプリアンブル内の別のトレーニングフィールド、またはＰＰＤＵのＰＨＹデータ部分のすぐ隣にある単一の隣接フィールドであり、信号フィールド全体が単一のＯＦＤＭシンボル上に変調される。
【０１４２】
図１２は、ある実施形態に係る、車両通信ネットワークでＰＰＤＵを生成および伝送するための別の例示的な方法１２００のフロー図である。図１を参照すると、様々な実施形態において、方法１２００は、ネットワークインタフェースデバイス１２２またはネットワークインタフェースデバイス１６２などのネットワークインタフェースデバイスにより実装される。例えば、１つの係る実施形態では、ＰＨＹプロセッサ１３０またはＰＨＹプロセッサ１７０などのＰＨＹプロセッサが、方法１２００の少なくとも一部を実装するように構成される。別の実施形態によれば、ＭＡＣプロセッサ１２６またはＭＡＣプロセッサ１６６などのＭＡＣプロセッサが、方法１２００の一部を実装するようにも構成される。
【０１４３】
方法１２００は、図１０の方法１０００のより具体的な実施形態である。いくつかの実施形態において、方法１２００は、図１０の方法１０００の１または複数の態様と組み合わされる。いくつかの実施形態において、方法１２００は、図１１の方法１１００の１または複数の態様と組み合わされる。
【０１４４】
ブロック１２０４では、車両通信ネットワークでＰＰＤＵが伝送される際に使用される周波数帯域幅が選択される。ある実施形態において、周波数帯域幅は、許容される周波数帯域幅のセットから選択される。ある実施形態において、許容される周波数帯域幅のセットは、２０ＭＨｚ、１０ＭＨｚ、および５ＭＨｚという３つの帯域幅で構成される。別の実施形態において、３つの許容される周波数帯域幅のセットは、２０ＭＨｚ、１０ＭＨｚ、および５ＭＨｚとは異なる１または複数の帯域幅を含む。別の実施形態において、許容される周波数帯域幅のセットは、少なくとも３つの帯域幅、例えば２０ＭＨｚ、１０ＭＨｚ、および５ＭＨｚ、および／または、１または複数の他の適切な帯域幅を含む。別の実施形態において、許容される周波数帯域幅のセットは２つの帯域幅で構成される。
【０１４５】
ブロック１２０８では、それぞれの帯域幅に対応する複数のＯＦＤＭヌメロロジのセットから、特定の帯域幅に対応するＯＦＤＭヌメロロジが選択される。ある実施形態において、セット内の複数のＯＦＤＭヌメロロジは、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１または複数で定義される。
【０１４６】
いくつかの実施形態において、ブロック１２０８は省略される。
【０１４７】
ブロック１２１２では、ブロック１２０４で選択された周波数帯域幅と、ブロック１２０８で選択されたＯＦＤＭヌメロロジに対応する帯域幅とに基づいて、ダウンクロック比が選択される。単なる説明のための例として、ブロック１２０４で選択された帯域幅が１０ＭＨｚであり、かつ、選択されたヌメロロジに対応する特定の帯域幅が２０ＭＨｚである場合は、ダウンクロック比が１／２として選択される。単なる説明のための別の例として、ブロック１２０４で選択された帯域幅が５ＭＨｚであり、かつ、選択されたヌメロロジに対応する特定の帯域幅が２０ＭＨｚである場合は、ダウンクロック比が１／４として選択される。
【０１４８】
ブロック１２０８が省略される実施形態において、ダウンクロック比は、ブロック１２０４で選択された周波数帯域幅に基づいて（ブロック１２１２で）選択される。
【０１４９】
ブロック１２１６では、ｉ）選択されたＯＦＤＭヌメロロジに基づいて、かつ、ｉｉ）選択されたダウンクロック比に従って、ＰＰＤＵが生成される。ＰＰＤＵは、選択された周波数帯域幅に亘るように生成される。ブロック１２０８が省略される実施形態において、ＰＰＤＵは、ｉ）特定のＯＦＤＭヌメロロジに基づいて、かつ、ｉｉ）選択されたダウンクロック比に従って生成される。ある実施形態において、特定のＯＦＤＭヌメロロジは、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義される。ある実施形態において、ＰＰＤＵは、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして生成される。
【０１５０】
ブロック１２２０では、ＰＰＤＵが車両通信ネットワークで伝送される。
【０１５１】
実施形態１：無線通信の方法であって、通信デバイスにおいて、車両通信ネットワークで物理層（ＰＨＹ）プロトコルデータユニット（ＰＰＤＵ）が伝送される際に使用される周波数帯域幅を選択する段階であって、周波数帯域幅は、許容される周波数帯域幅のセットから選択される、段階と、通信デバイスにおいて、ＰＰＤＵを、選択された周波数帯域幅に亘るように生成するためのダウンクロック比を選択する段階であって、ダウンクロック比は、選択された周波数帯域幅に基づいて選択される、段階と、通信デバイスにおいて、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義される直交周波数分割多重（ＯＦＤＭ）ヌメロロジに基づいて、ＰＰＤＵを生成する段階であって、ＰＰＤＵは、選択された周波数帯域幅に亘るように生成される、段階と、通信デバイスが車両通信ネットワークでＰＰＤＵを伝送する段階とを備える方法。
【０１５２】
実施形態２：通信デバイスにおいて、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１または複数で定義される複数のＯＦＤＭヌメロロジのセットからＯＦＤＭヌメロロジを選択する段階を更に備える実施形態１に記載の方法。
【０１５３】
実施形態３：ダウンクロック比は、選択されたＯＦＤＭヌメロロジに基づいて更に選択される、実施形態２に記載の方法。
【０１５４】
実施形態４：ＰＰＤＵは、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして生成される、実施形態１から３のいずれかに記載の方法。
【０１５５】
実施形態５：周波数帯域幅は、２０ＭＨｚ、１０ＭＨｚ、および５ＭＨｚで構成されるセットから選択され、ダウンクロック比は、１、１／２、および１／４で構成されるセットから選択される、実施形態１から４のいずれかに記載の方法。
【０１５６】
実施形態６：通信デバイスにおいて、選択された周波数帯域幅に基づいて、許容されるミッドアンブルの周期性の値の複数のセットの中から、許容されるミッドアンブルの周期性の値のセットを選択する段階と、通信デバイスにおいて、選択された許容されるミッドアンブルの周期性の値のセットからミッドアンブルの周期性の値を選択する段階とを更に備え、ＰＰＤＵを生成する段階は、選択されたミッドアンブルの周期性に従って、ｉ）ＰＨＹプリアンブルと、ｉｉ）１または複数のＰＨＹミッドアンブルを含むＰＨＹデータ部分とを含むようにＰＰＤＵを生成する段階であって、ＰＨＹプリアンブルは、選択されたミッドアンブルの周期性の表示を含むように生成される、段階を有する、実施形態１から５のいずれかに記載の方法。
【０１５７】
実施形態７：ＰＰＤＵを生成する段階は、選択されたミッドアンブルの周期性の値の表示を含むようにＰＨＹプリアンブルを生成する段階を有する、実施形態６に記載の方法。
【０１５８】
実施形態８：ＰＰＤＵを生成する段階は、選択された周波数帯域幅の表示を更に含むようにＰＨＹプリアンブルを生成する段階を有する、実施形態７に記載の方法。
【０１５９】
実施形態９：選択されたミッドアンブルの周期性の表示は、ＰＨＹプリアンブルの信号フィールドに含まれ、信号フィールド全体が単一のＯＦＤＭシンボル上に変調される、実施形態７に記載の方法。
【０１６０】
実施形態１０：ダウンクロック比は、１、１／２、および１／４で構成されるセットから選択され、ダウンクロック比１に従ってＰＰＤＵを生成する段階は、第１の直交周波数分割多重（ＯＦＤＭ）サブキャリア間隔を含むようにＰＰＤＵを生成する段階を有し、ダウンクロック比１／２に従ってＰＰＤＵを生成する段階は、第１のＯＦＤＭサブキャリア間隔の半分である第２のＯＦＤＭサブキャリア間隔を含むようにＰＰＤＵを生成する段階を有し、ダウンクロック比１／４に従ってＰＰＤＵを生成する段階は、第１のＯＦＤＭサブキャリア間隔の４分の１である第３のＯＦＤＭサブキャリア間隔を含むようにＰＰＤＵを生成する段階を有する、実施形態１から９のいずれかに記載の方法。
【０１６１】
実施形態１１：第１のＯＦＤＭサブキャリア間隔は１５６．２５ｋＨｚであり、第２のＯＦＤＭサブキャリア間隔は７８．１２５ｋＨｚであり、第３のＯＦＤＭサブキャリア間隔は３９．０６２５ｋＨｚである、実施形態１０に記載の方法。
【０１６２】
実施形態１２：第１のＯＦＤＭサブキャリア間隔は３１２．５ｋＨｚであり、第２のＯＦＤＭサブキャリア間隔は１５６．２５ｋＨｚであり、第３のＯＦＤＭサブキャリア間隔は７８．１２５ｋＨｚである、実施形態１０に記載の方法。
【０１６３】
実施形態１３：通信デバイスにおいて、少なくとも４つの許容されるガードインターバル（ＧＩ）持続時間の値のセットからＧＩ持続時間の値を選択する段階を更に備え、ＰＰＤＵを生成する段階は、選択されたＧＩ持続時間の値に従ってＰＰＤＵを生成する段階と、選択されたＧＩ持続時間の値の表示を含むＰＨＹプリアンブルを含むようにＰＰＤＵを生成する段階とを有する、実施形態１から１２のいずれかに記載の方法。
【０１６４】
実施形態１４：１または複数の集積回路（ＩＣ）デバイスを有するネットワークインタフェースデバイスを備える装置であって、ネットワークインタフェースデバイスは、車両通信ネットワークで物理層（ＰＨＹ）プロトコルデータユニット（ＰＰＤＵ）が伝送される際に使用される周波数帯域幅を選択することであって、周波数帯域幅は、許容される周波数帯域幅のセットから選択される、選択することと、ＰＰＤＵを、選択された周波数帯域幅に亘るように生成するためのダウンクロック比を選択することであって、ダウンクロック比は、選択された周波数帯域幅に基づいて選択される、選択することと、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義される直交周波数分割多重（ＯＦＤＭ）ヌメロロジに基づいて、ＰＰＤＵを生成することであって、ＰＰＤＵは、選択された周波数帯域幅に亘るように生成される、生成することと、車両通信ネットワークでＰＰＤＵを伝送することとを行うように構成される、装置。
【０１６５】
実施形態１５：１または複数のＩＣデバイスは更に、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１または複数で定義される複数のＯＦＤＭヌメロロジのセットからＯＦＤＭヌメロロジを選択するように構成される、実施形態１４に記載の装置。
【０１６６】
実施形態１６：１または複数のＩＣデバイスは更に、選択されたＯＦＤＭヌメロロジに基づいてダウンクロック比を更に選択するように構成される、実施形態１５に記載の装置。
【０１６７】
実施形態１７：１または複数のＩＣデバイスは更に、ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとしてＰＰＤＵを生成するように構成される、実施形態１４から１６のいずれかに記載の装置。
【０１６８】
実施形態１８：１または複数のＩＣデバイスは、２０ＭＨｚ、１０ＭＨｚ、および５ＭＨｚで構成されるセットから周波数帯域幅を選択するように構成され、ダウンクロック比は、１、１／２、および１／４で構成されるセットから選択される、実施形態１４から１７のいずれかに記載の装置。
【０１６９】
実施形態１９：１または複数のＩＣデバイスは更に、選択された周波数帯域幅に基づいて、許容されるミッドアンブルの周期性の値の複数のセットの中から、許容されるミッドアンブルの周期性の値のセットを選択することと、選択された許容されるミッドアンブルの周期性の値のセットからミッドアンブルの周期性の値を選択することと、選択されたミッドアンブルの周期性に従って、ｉ）ＰＨＹプリアンブルと、ｉｉ）１または複数のＰＨＹミッドアンブルを含むＰＨＹデータ部分とを含むようにＰＰＤＵを生成することであって、ＰＨＹプリアンブルは、選択されたミッドアンブルの周期性の表示を含むように生成される、生成することとを行うように構成される、実施形態１４から１８のいずれかに記載の装置。
【０１７０】
実施形態２０：１または複数のＩＣデバイスは更に、選択されたミッドアンブルの周期性の値の表示を含むようにＰＨＹプリアンブルを生成するように構成される、実施形態１９に記載の装置。
【０１７１】
実施形態２１：１または複数のＩＣデバイスは更に、選択された周波数帯域幅の表示を更に含むようにＰＨＹプリアンブルを生成するように構成される、実施形態２０に記載の装置。
【０１７２】
実施形態２２：１または複数のＩＣデバイスは更に、ＰＨＹプリアンブルの信号フィールドに、選択されたミッドアンブルの周期性の表示を含め、信号フィールド全体を単一のＯＦＤＭシンボル上に変調するように構成される、実施形態２０に記載の装置。
【０１７３】
実施形態２３：ダウンクロック比は、１、１／２、および１／４で構成されるセットから選択され、ダウンクロック比１に従ってＰＰＤＵを生成することは、第１の直交周波数分割多重（ＯＦＤＭ）サブキャリア間隔を含むようにＰＰＤＵを生成することを含み、ダウンクロック比１／２に従ってＰＰＤＵを生成することは、第１のＯＦＤＭサブキャリア間隔の半分である第２のＯＦＤＭサブキャリア間隔を含むようにＰＰＤＵを生成することを含み、ダウンクロック比１／４に従ってＰＰＤＵを生成することは、第１のＯＦＤＭサブキャリア間隔の４分の１である第３のＯＦＤＭサブキャリア間隔を含むようにＰＰＤＵを生成することを含む、実施形態１４から２２のいずれかに記載の装置。
【０１７４】
実施形態２４：第１のＯＦＤＭサブキャリア間隔は１５６．２５ｋＨｚであり、第２のＯＦＤＭサブキャリア間隔は７８．１２５ｋＨｚであり、第３のＯＦＤＭサブキャリア間隔は３９．０６２５ｋＨｚである、実施形態２３に記載の装置。
【０１７５】
実施形態２５：第１のＯＦＤＭサブキャリア間隔は３１２．５ｋＨｚであり、第２のＯＦＤＭサブキャリア間隔は１５６．２５ｋＨｚであり、第３のＯＦＤＭサブキャリア間隔は７８．１２５ｋＨｚである、実施形態２３に記載の装置。
【０１７６】
実施形態２６：１または複数のＩＣデバイスは更に、少なくとも４つの許容されるガードインターバル（ＧＩ）持続時間の値のセットからＧＩ持続時間の値を選択し、選択されたＧＩ持続時間の値に従ってＰＰＤＵを生成し、選択されたＧＩ持続時間の値の表示を含むＰＨＹプリアンブルを含むようにＰＰＤＵを生成するように構成される、実施形態１４から２５のいずれかに記載の装置。
【０１７７】
実施形態２７：無線通信の方法であって、通信デバイスにおいて、車両通信ネットワークで伝送される物理層（ＰＨＹ）プロトコルデータユニット（ＰＰＤＵ）を生成するためのダウンクロック比を選択する段階と、通信デバイスにおいて、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして、ＰＰＤＵを生成する段階と、通信デバイスが車両通信ネットワークでＰＰＤＵを伝送する段階とを含む方法。
【０１７８】
実施形態２８：実施形態２７の方法は、通信デバイスにおいて、車両通信ネットワークでＰＰＤＵが伝送される際に使用される周波数帯域幅を選択する段階を更に含み、周波数帯域幅は許容される周波数帯域幅のセットから選択される。ここで、ＰＰＤＵを生成する段階は、ＰＰＤＵを、選択された周波数帯域幅に亘るように生成する段階を含む。
【０１７９】
実施形態２９：実施形態２８の方法において、ダウンクロック比は、選択された周波数帯域幅に基づいて選択される。
【０１８０】
実施形態３０：実施形態２９の方法において、周波数帯域幅は、２０ＭＨｚ、１０ＭＨｚ、および５ＭＨｚで構成されるセットから選択され、ダウンクロック比は、１、１／２、および１／４で構成されるセットから選択され、ダウンクロック比１は周波数帯域幅２０ＭＨｚに対応し、ダウンクロック比１／２は周波数帯域幅１０ＭＨｚに対応し、ダウンクロック比１／４は周波数帯域幅５ＭＨｚに対応する。
【０１８１】
実施形態３１：通信デバイスにおいて、選択された周波数帯域幅に基づいて、許容されるミッドアンブルの周期性の値の複数のセットの中から、許容されるミッドアンブルの周期性の値のセットを選択する段階と、通信デバイスにおいて、選択された許容されるミッドアンブルの周期性の値のセットからミッドアンブルの周期性の値を選択する段階とを更に備え、ＰＰＤＵを生成する段階は、選択されたミッドアンブルの周期性に従って、ｉ）ＰＨＹプリアンブルと、ｉｉ）１または複数のＰＨＹミッドアンブルを含むＰＨＹデータ部分とを含むようにＰＰＤＵを生成する段階であって、ＰＨＹプリアンブルは、選択されたミッドアンブルの周期性の表示を含むように生成される、段階を有する、実施形態２８から３０のいずれかに記載の方法。
【０１８２】
実施形態３２：ＰＰＤＵを生成する段階は、選択されたミッドアンブルの周期性の値の表示を含むようにＰＨＹプリアンブルを生成する段階を有する、実施形態３１に記載の方法。
【０１８３】
実施形態３３：ＰＰＤＵを生成する段階は、選択された周波数帯域幅の表示を更に含むようにＰＨＹプリアンブルを生成する段階を有する、実施形態３１に記載の方法。
【０１８４】
実施形態３４：選択されたミッドアンブルの周期性の表示は、ＰＨＹプリアンブルの信号フィールドに含まれ、信号フィールド全体が単一のＯＦＤＭシンボル上に変調される、実施形態３１に記載の方法。
【０１８５】
実施形態３５：ダウンクロック比は、１、１／２、および１／４で構成されるセットから選択され、ダウンクロック比１に従ってＰＰＤＵを生成する段階は、第１の直交周波数分割多重（ＯＦＤＭ）サブキャリア間隔を含むようにＰＰＤＵを生成する段階を有し、ダウンクロック比１／２に従ってＰＰＤＵを生成する段階は、第１のＯＦＤＭサブキャリア間隔の半分である第２のＯＦＤＭサブキャリア間隔を含むようにＰＰＤＵを生成する段階を有し、ダウンクロック比１／４に従ってＰＰＤＵを生成する段階は、第１のＯＦＤＭサブキャリア間隔の４分の１である第３のＯＦＤＭサブキャリア間隔を含むようにＰＰＤＵを生成する段階を有する、実施形態２７から３４のいずれかに記載の方法。
【０１８６】
実施形態３６：第１のＯＦＤＭサブキャリア間隔は１５６．２５ｋＨｚであり、第２のＯＦＤＭサブキャリア間隔は７８．１２５ｋＨｚであり、第３のＯＦＤＭサブキャリア間隔は３９．０６２５ｋＨｚである、実施形態３５に記載の方法。
【０１８７】
実施形態３７：第１のＯＦＤＭサブキャリア間隔は３１２．５ｋＨｚであり、第２のＯＦＤＭサブキャリア間隔は１５６．２５ｋＨｚであり、第３のＯＦＤＭサブキャリア間隔は７８．１２５ｋＨｚである、実施形態３５に記載の方法。
【０１８８】
実施形態３８：通信デバイスにおいて、少なくとも４つの許容されるガードインターバル（ＧＩ）持続時間の値のセットからＧＩ持続時間の値を選択する段階を更に備え、ＰＰＤＵを生成する段階は、選択されたＧＩ持続時間の値に従ってＰＰＤＵを生成する段階と、選択されたＧＩ持続時間の値の表示を含むＰＨＹプリアンブルを含むようにＰＰＤＵを生成する段階とを有する、実施形態２７から３７のいずれかに記載の方法。
【０１８９】
実施形態３９：装置が、１または複数の集積回路（ＩＣ）デバイスを有するネットワークインタフェースデバイスを備える。ネットワークインタフェースデバイスは、車両通信ネットワークで伝送される物理層（ＰＨＹ）プロトコルデータユニット（ＰＰＤＵ）を生成するためのダウンクロック比を選択し、ｉ）選択されたダウンクロック比に従って、かつ、ｉｉ）ａ）ＩＥＥＥ８０２．１１ｎ規格、ｂ）ＩＥＥＥ８０２．１１ａｃ規格、および、ｃ）ＩＥＥＥ８０２．１１ａｘ規格のうちの１つで定義されるＰＰＤＵフォーマットのダウンクロックバージョンとして、ＰＰＤＵを生成し、車両通信ネットワークでＰＰＤＵを伝送するように構成される。
【０１９０】
実施形態４０：実施形態３９の装置において、１または複数のＩＣデバイスは更に、通信デバイスにおいて、車両通信ネットワークでＰＰＤＵが伝送される際に使用される周波数帯域幅を選択するように構成され、周波数帯域幅は許容される周波数帯域幅のセットから選択される。ここで、ＰＰＤＵを生成する段階は、ＰＰＤＵを、選択された周波数帯域幅に亘るように生成する段階を含む。
【０１９１】
実施形態４１：１または複数のＩＣデバイスは更に、選択された周波数帯域幅に基づいてダウンクロック比を更に選択するように構成される、実施形態４０に記載の装置。
【０１９２】
実施形態４２：実施形態４１の装置において、１または複数のＩＣデバイスは、２０ＭＨｚ、１０ＭＨｚ、および５ＭＨｚで構成されるセットから周波数帯域幅を選択するように構成され、ダウンクロック比は、１、１／２、および１／４で構成されるセットから選択され、ダウンクロック比１は周波数帯域幅２０ＭＨｚに対応し、ダウンクロック比１／２は周波数帯域幅１０ＭＨｚに対応し、ダウンクロック比１／４は周波数帯域幅５ＭＨｚに対応する。
【０１９３】
実施形態４３：１または複数のＩＣデバイスは更に、選択された周波数帯域幅に基づいて、許容されるミッドアンブルの周期性の値の複数のセットの中から、許容されるミッドアンブルの周期性の値のセットを選択することと、選択された許容されるミッドアンブルの周期性の値のセットからミッドアンブルの周期性の値を選択することと、選択されたミッドアンブルの周期性に従って、ｉ）ＰＨＹプリアンブルと、ｉｉ）１または複数のＰＨＹミッドアンブルを含むＰＨＹデータ部分とを含むようにＰＰＤＵを生成することであって、ＰＨＹプリアンブルは、選択されたミッドアンブルの周期性の表示を含むように生成される、生成することとを行うように構成される、実施形態４０から４２のいずれかに記載の装置。
【０１９４】
実施形態４４：１または複数のＩＣデバイスは更に、選択されたミッドアンブルの周期性の値の表示を含むようにＰＨＹプリアンブルを生成するように構成される、実施形態４３に記載の装置。
【０１９５】
実施形態４５：１または複数のＩＣデバイスは更に、選択された周波数帯域幅の表示を更に含むようにＰＨＹプリアンブルを生成するように構成される、実施形態４４に記載の装置。
【０１９６】
実施形態４６：１または複数のＩＣデバイスは更に、ＰＨＹプリアンブルの信号フィールドに、選択されたミッドアンブルの周期性の表示を含め、信号フィールド全体を単一のＯＦＤＭシンボル上に変調するように構成される、実施形態４４に記載の装置。
【０１９７】
実施形態４７：ダウンクロック比は、１、１／２、および１／４で構成されるセットから選択され、ダウンクロック比１に従ってＰＰＤＵを生成することは、第１の直交周波数分割多重（ＯＦＤＭ）サブキャリア間隔を含むようにＰＰＤＵを生成することを含み、ダウンクロック比１／２に従ってＰＰＤＵを生成することは、第１のＯＦＤＭサブキャリア間隔の半分である第２のＯＦＤＭサブキャリア間隔を含むようにＰＰＤＵを生成することを含み、ダウンクロック比１／４に従ってＰＰＤＵを生成することは、第１のＯＦＤＭサブキャリア間隔の４分の１である第３のＯＦＤＭサブキャリア間隔を含むようにＰＰＤＵを生成することを含む、実施形態３９から４６のいずれかに記載の装置。
【０１９８】
実施形態４８：第１のＯＦＤＭサブキャリア間隔は１５６．２５ｋＨｚであり、第２のＯＦＤＭサブキャリア間隔は７８．１２５ｋＨｚであり、第３のＯＦＤＭサブキャリア間隔は３９．０６２５ｋＨｚである、実施形態４７に記載の装置。
【０１９９】
実施形態４９：第１のＯＦＤＭサブキャリア間隔は３１２．５ｋＨｚであり、第２のＯＦＤＭサブキャリア間隔は１５６．２５ｋＨｚであり、第３のＯＦＤＭサブキャリア間隔は７８．１２５ｋＨｚである、実施形態４７に記載の装置。
【０２００】
実施形態６０：１または複数のＩＣデバイスは更に、少なくとも４つの許容されるガードインターバル（ＧＩ）持続時間の値のセットからＧＩ持続時間の値を選択し、選択されたＧＩ持続時間の値に従ってＰＰＤＵを生成し、選択されたＧＩ持続時間の値の表示を含むＰＨＹプリアンブルを含むようにＰＰＤＵを生成するように構成される、実施形態３９から４９のいずれかに記載の装置。
【０２０１】
ハードウェア、ファームウェア命令を実行するプロセッサ、ソフトウェア命令を実行するプロセッサ、またはこれらの任意の組み合わせを利用して、上記の様々なブロック、動作、および技術のうちの少なくともいくつかを実装することができる。ソフトウェア命令またはファームウェア命令は、ソフトウェア命令またはファームウェア命令を実行するプロセッサを利用して実装されるときに、ＲＡＭもしくはＲＯＭまたはフラッシュメモリ、プロセッサ、ハードディスクドライブ、光学ディスクドライブ、テープドライブ内などの磁気ディスク、光学ディスク、または他の記憶媒体上などの任意のコンピュータ可読メモリに記憶され得る。ソフトウェア命令またはファームウェア命令は、プロセッサで実行されるときにプロセッサに様々な動作を実行させる機械可読命令を含んでよい。
【０２０２】
ハードウェアは、ハードウェアで実装されるときに、ディスクリートコンポーネント、１または複数の集積回路（ＩＣ）、特定用途向け集積回路（ＡＳＩＣ）、プログラマブル論理デバイス（ＰＬＤ）などのうちの１または複数を含んでよい。
【０２０３】
本発明は具体的な例を参照しながら説明されているが、これらの例は本発明の限定ではなく例示のみを意図したものであり、開示されている実施形態への変更、追加、および／または削除が、本発明の範囲から逸脱することなく行われてよい。
【図１】
2021506202.tif 000003
【図２】
2021506202.tif 000004
【図３】
2021506202.tif 000005
【図４】
2021506202.tif 000006
【図５】
2021506202.tif 000007
【図６】
2021506202.tif 000008
【図７】
2021506202.tif 000009
【図８】
2021506202.tif 000010
【図９Ａ】
2021506202.tif 000011
【図９Ｂ】
2021506202.tif 000012
【図１０】
2021506202.tif 000013
【図１１】
2021506202.tif 000014
【図１２】
2021506202.tif 000015
【国際調査報告】
2021506202.tif 000016
2021506202.tif 000017